(57)【要約】【課題】  ＢＴＬ増幅回路のような平衡出力型のアンプ装置であって、３端子型ヘッドホンを用いても、クロストークの影響を抑えることの可能なアンプ装置を提供する。【解決手段】  本アンプ装置では、左チャネル増幅回路１１・右チャネル増幅回路１２の負端子Ｈ・Ｊ間が互いに接続（短絡）された場合、制御器１４が、負端子Ｈ・Ｊの電圧値を０に近づけるように設定されている。これにより、本アンプ装置では、接続された負端子Ｈ・Ｊ間での信号伝達、すなわち、左右のチャネル間での信号伝達が、低減される。従って、３端子型ヘッドホンを適用した場合でも、クロストークの発生を抑制することが可能となっている。【選択図】  図１
2004266807.tif 000002
【特許請求の範囲】
【請求項１】
接続された外部機器における左右のチャネルのそれぞれに対し、正相および逆相の信号をそれぞれ出力するアンプ装置において、
正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、
さらに、外部機器によって両増幅回路の負端子間が接続されたときに、両増幅回路における負端子の電圧値を０に近づける制御部を備えていることを特徴とするアンプ装置。
【請求項２】
上記両増幅回路が、逆相アンプと負端子との間に配された第１可変負荷を備えており、
上記制御部は、各増幅回路の第１可変負荷の抵抗値を、各増幅回路の正端子と負端子との間の抵抗値に近づけるように調整することで、両増幅回路における負端子の電圧値を０に近づけることを特徴とする請求項１に記載のアンプ装置。
【請求項３】
上記両増幅回路が、正端子と負端子との間を接続する第２可変負荷と、逆相アンプと負端子とを接続する主固定負荷を備えており、
上記制御部は、各増幅回路の正端子と負端子との間の抵抗値を、逆相アンプと負端子との間の抵抗値に近づけるように、第２可変負荷の抵抗値を調整することで、両増幅回路における負端子の電圧値を０に近づけることを特徴とする請求項１に記載のアンプ装置。
【請求項４】
各増幅回路の正端子と負端子との間の電位差を検出する第１検出部を備えており、
上記制御部は、各増幅回路における第１あるいは第２可変負荷の抵抗値を、第１検出部の検出した電位差と正端子に出力されている信号の電圧値とを近づけるように、調整することを特徴とする請求項２または３に記載のアンプ装置。
【請求項５】
両増幅回路の負端子と接地点との電位差を測定する第２検出部を備え、
上記制御部は、各増幅回路における第１あるいは第２可変負荷の抵抗値を、第２検出部の検出結果を０に近づけるように調整することを特徴とする請求項２または３に記載のアンプ装置。
【請求項６】
上記の第１可変負荷が、抵抗値の異なる複数の負荷を備えており、
上記制御部は、逆相アンプと負端子との間に配する負荷を選択することで、第１可変負荷の抵抗値を調整することを特徴とする請求項２に記載のアンプ装置。
【請求項７】
上記の第２可変負荷が、抵抗値の異なる複数の負荷を備えており、
上記制御部は、正端子と負端子との間に配する負荷を選択することで、第２可変負荷の抵抗値を調整することを特徴とする請求項３に記載のアンプ装置。
【請求項８】
上記第１あるいは第２可変負荷が、連続的に抵抗値の変化するものであることを特徴とする請求項２または３に記載のアンプ装置。
【請求項９】
上記第１可変負荷が、第１スイッチと、この第１スイッチに並列に接続された第１固定負荷とを備えており、
上記制御部は、第１スイッチを開閉することで、第１可変負荷の抵抗値を調整することを特徴とする請求項２に記載のアンプ装置。
【請求項１０】
上記第２可変負荷が、第２スイッチと、この第２スイッチに直列に接続された第２固定負荷とを備えており、
上記制御部は、第２スイッチを開閉することで、第２可変負荷の抵抗値を調整することを特徴とする請求項３に記載のアンプ装置。
【請求項１１】
上記逆相アンプと負端子との間に、主固定負荷と直列に第３固定負荷が備えられており、
さらに、この第３固定負荷と並列に、第３スイッチが備えられており、
上記制御部は、第３スイッチを開閉することで、逆相アンプと負端子との間の抵抗値を調整することを特徴とする請求項１０に記載のアンプ装置。
【請求項１２】
上記両増幅回路が、逆相アンプと負端子との間に配された第１可変負荷を備えており、
上記制御部は、各増幅回路の第１可変負荷の抵抗値を、一方の増幅回路における正端子と負端子との間の抵抗値に近づけるように調整することを特徴とする請求項１に記載のアンプ装置。
【請求項１３】
上記両増幅回路が、正端子と負端子との間を接続する第２可変負荷を備えており、
上記制御部は、一方の増幅回路における正端子と負端子との間の抵抗値を逆相アンプと負端子との間の抵抗値に近づけるように、その増幅回路の第２可変負荷の抵抗値を調整した後、
他方の増幅回路における第２可変負荷の抵抗値を、上記した一方の増幅回路における第２可変負荷の抵抗値と等しくすることを特徴とする請求項１または２に記載のアンプ装置。
【請求項１４】
接続された外部機器における左右のチャネルのそれぞれに対し、正相および逆相の信号をそれぞれ出力するアンプ装置において、
正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、
さらに、外部機器によって両増幅回路の正端子間が接続されたときに、両増幅回路における正端子の電圧値を０に近づける制御部を備えていることを特徴とするアンプ装置。
【請求項１５】
上記両増幅回路が、正相アンプと正端子との間に配された第１可変負荷を備えており、
上記制御部は、各増幅回路の第１可変負荷の抵抗値を、各増幅回路の正端子と負端子との間の抵抗値に近づけるように調整することで、両増幅回路における正端子の電圧値を０に近づけることを特徴とする請求項１４に記載のアンプ装置。
【請求項１６】
上記両増幅回路が、正端子と負端子との間を接続する第２可変負荷と、正相アンプと正端子とを接続する主固定負荷を備えており、
上記制御部は、各増幅回路の正端子と負端子との間の抵抗値を、正相アンプと正端子との間の抵抗値に近づけるように、第２可変負荷の抵抗値を調整することで、両増幅回路における正端子の電圧値を０に近づけることを特徴とする請求項１４に記載のアンプ装置。
【請求項１７】
各増幅回路の正端子と負端子との間の電位差を検出する第１検出部を備えており、
上記制御部は、各増幅回路における第１あるいは第２可変負荷の抵抗値を、第１検出部の検出した電位差と負端子に出力されている信号の電圧値とを近づけるように、調整することを特徴とする請求項１５または１６に記載のアンプ装置。
【請求項１８】
両増幅回路の正端子と接地点との電位差を測定する第２検出部を備え、
上記制御部は、各増幅回路における第１あるいは第２可変負荷の抵抗値を、第２検出部の検出結果を０に近づけるように調整することを特徴とする請求項１５または１６に記載のアンプ装置。
【請求項１９】
上記の第１可変負荷が、抵抗値の異なる複数の負荷を備えており、
上記制御部は、正相アンプと正端子との間に配する負荷を選択することで、第１可変負荷の抵抗値を調整することを特徴とする請求項１５に記載のアンプ装置。
【請求項２０】
上記の第２可変負荷が、抵抗値の異なる複数の負荷を備えており、
上記制御部は、正端子と負端子との間に配する負荷を選択することで、第２可変負荷の抵抗値を調整することを特徴とする請求項１６に記載のアンプ装置。
【請求項２１】
上記第１あるいは第２可変負荷が、連続的に抵抗値の変化するものであることを特徴とする請求項１５または１６に記載のアンプ装置。
【請求項２２】
上記第１可変負荷が、第１スイッチと、この第１スイッチに並列に接続された第１固定負荷とを備えており、
上記制御部は、第１スイッチを開閉することで、第１可変負荷の抵抗値を調整することを特徴とする請求項１５に記載のアンプ装置。
【請求項２３】
上記第２可変負荷が、第２スイッチと、この第２スイッチに直列に接続された第２固定負荷とを備えており、
上記制御部は、第２スイッチを開閉することで、第２可変負荷の抵抗値を調整することを特徴とする請求項１６に記載のアンプ装置。
【請求項２４】
上記正相アンプと正端子との間に、主固定負荷と直列に第３固定負荷が備えられており、
さらに、この第３固定負荷と並列に、第３スイッチが備えられており、
上記制御部は、第３スイッチを開閉することで、正相アンプと正端子との間の抵抗値を調整することを特徴とする請求項２３に記載のアンプ装置。
【請求項２５】
上記両増幅回路が、正相アンプと正端子との間に配された第１可変負荷を備えており、
上記制御部は、各増幅回路の第１可変負荷の抵抗値を、一方の増幅回路における正端子と負端子との間の抵抗値に近づけるように調整することを特徴とする請求項１４に記載のアンプ装置。
【請求項２６】
上記両増幅回路が、正端子と負端子との間を接続する第２可変負荷を備えており、
上記制御部は、一方の増幅回路における正端子と負端子との間の抵抗値を正相アンプと正端子との間の抵抗値に近づけるように、その増幅回路の第２可変負荷の抵抗値を調整した後、
他方の増幅回路における第２可変負荷の抵抗値を、上記した一方の増幅回路における第２可変負荷の抵抗値と等しくすることを特徴とする請求項１４または１５に記載のアンプ装置。
【請求項２７】
請求項１〜２６のいずれか１項に記載のアンプ装置を備えていることを特徴とする音響機器。
【請求項２８】
請求項１〜２６のいずれか１項に記載のアンプ装置を備えていることを特徴とするテレビジョン受像機。
【請求項２９】
請求項１〜２６のいずれか１項に記載のアンプ装置を備えていることを特徴とするビデオテープ再生機。
【請求項３０】
請求項１〜２６のいずれか１項に記載のアンプ装置を備えていることを特徴とするＣＤ再生機。
【請求項３１】
請求項１〜２６のいずれか１項に記載のアンプ装置を備えていることを特徴とするＭＤ再生機。
【請求項３２】
請求項１〜２６のいずれか１項に記載のアンプ装置を備えていることを特徴とするＤＶＤ再生機。
【請求項３３】
請求項１〜２６のいずれか１項に記載のアンプ装置を備えていることを特徴とするコンポーネントステレオ。
【請求項３４】
請求項１〜２６のいずれか１項に記載のアンプ装置を備えていることを特徴とする携帯型ステレオ装置。
【請求項３５】
正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有するアンプ装置によって、このアンプ装置に接続された外部機器における左右のチャネルのそれぞれに対して、正相および逆相の信号をそれぞれ出力する信号出力方法において、
外部機器によって両増幅回路の負端子間が接続されたか否かを検出する検出工程と、
負端子間が接続された場合に、両増幅回路における負端子の電圧値を０に近づける電圧値調整工程とを含む信号出力方法。
【請求項３６】
正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有するアンプ装置によって、このアンプ装置に接続された外部機器における左右のチャネルのそれぞれに対して、正相および逆相の信号をそれぞれ出力する信号出力方法において、
外部機器によって両増幅回路の正端子間が接続されたか否かを検出する検出工程と、
正端子間が接続された場合に、両増幅回路における正端子の電圧値を０に近づける電圧値調整工程とを含む信号出力方法。
【発明の詳細な説明】
【技術分野】
【０００１】
本発明は、接続された外部機器における左右のチャネルのそれぞれに対し、正相および逆相の信号をそれぞれ出力するアンプ装置に関するものである。
【背景技術】
【０００２】
従来、音声信号を再生するためのステレオヘッドホンには、３端子型のものと４端子型のものとがある。
図５は、３端子型ヘッドホンのプラグ（入力部）を示す説明図である。この図に示すように、３端子型ヘッドホンは、音声信号の入力を受けるための、左右のチャネルに対応した２つの入力端子Ｌ＋・Ｒ＋と、両チャネルに共通の接地端子Ｅとを備えている。
【０００３】
一方、図６は、４端子型ヘッドホンのプラグを示す説明図である。４端子型ヘッドホンは、音声をより高品位に再生するためのものである。そして、図６に示すように、左右のチャネルに対応した２つの正端子Ｌ＋・Ｒ＋と、同じく左右のチャネルに対応した２つの負端子Ｌ−・Ｒ−とを備えるようになっている。
【０００４】
そして、このような４端子型ヘッドホンを効果的に用いるために、従来、ＢＴＬ増幅回路を用いたアンプが開発されている。
図７は、ＢＴＬ（Bridged Transless）増幅回路の例を示すブロック図である。この図に示す回路では、入力される左（右）チャネル用の音声信号ＳＬ・ＳＲを、非反転増幅器１０１（１０３）および反転増幅器１０２（１０４）によって増幅する。
【０００５】
そして、非反転増幅器１０１の出力信号を、ヘッドホンにおける左チャネル用の正端子Ｌ＋に出力する一方、反転増幅器１０２の出力信号を、同じく左チャネル用の負端子Ｌ−に出力するようになっている。
また、右チャネルについても同様に、非反転増幅器１０３の出力信号を、正端子Ｒ＋に出力する一方、反転増幅器１０４の出力信号を、負端子Ｒ−に出力するように設定されている。
【０００６】
上記のようなＢＴＬ増幅回路の信号出力は、４端子型ヘッドホンの左右のチャネルに、各増幅器１０１〜１０４から出力されるものの２倍のレベルの音声信号を出力することと等価である。
【０００７】
このためＢＴＬ増幅回路では、電源電圧を超えるレベルの音声信号を出力できることとなり、低電圧（例えば５Ｖ）の電源を用いる場合に適しているといえる。
【０００８】
また、各増幅器１０１〜１０４からの出力信号にはＤＣ成分が含まれているけれども、この成分は、正極性と負極性との出力信号をヘッドホンに印加することで打ち消される。従って、ＤＣ成分をカットするためのコンデンサを必要とせず、これによる低域周波数の減衰等の特性劣化を回避できる。
【０００９】
しかしながら、このような従来のＢＴＬ増幅回路では、４端子型ヘッドホンより一般的な３端子型ヘッドホンを使用できないという問題がある。
そこで、従来、このような問題に関するＢＴＬ増幅回路が開発されている。
【００１０】
例えば、特許文献１の技術は、ＢＴＬ増幅回路は、３端子のプラグ・ジャックを用いてスピーカとの接続を図るものである。図８は、このＢＴＬ増幅回路の構成を示すブロック図である。
この図に示すように、このＢＴＬ増幅回路では、演算器１１１〜１１３が、左チャネル音声信号ＳＬと右チャネル音声信号ＳＲとを入力し、両者の和信号（ＳＬ＋ＳＲ）と、一方から他方を差し引いた２種の差信号（ＳＬ−ＳＲ）・（ＳＲ−ＳＬ）を生成する。さらに、これら３種類の信号を、ゲインの等しい３つの増幅器１２１〜１２３によって増幅する。
【００１１】
そして、このＢＴＬ増幅回路では、３端子プラグにおける共通端子Ｅに和信号（ＳＬ＋ＳＲ）を出力するとともに、左チャネル端子Ｌに（ＳＲ−ＳＬ）を、また、右チャネルの入力端子Ｒに（ＳＬ−ＳＲ）を出力する。
そして、スピーカにおける左右チャネルの正端子に和信号（ＳＬ＋ＳＲ）を入力するとともに、左チャネルの負端子に（ＳＲ−ＳＬ）を、また、右チャネルの負端子に（ＳＬ−ＳＲ）を出力する。
【００１２】
ここで、スピーカにおける左右チャネルに印加される入力信号は、正端子への入力から負端子への入力を差し引いたものとなる。
従って、このＢＴＬ増幅回路を用いる場合、スピーカの左チャネルに印加される信号の大きさは、増幅器１２１〜１２３のゲインをＧとすると、Ｇ（ＳＬ＋ＳＲ）−Ｇ（ＳＲ−ＳＬ）＝２Ｇ・ＳＬとなる。一方、右チャネルに印加される信号は、同じくＧ（ＳＬ＋ＳＲ）−Ｇ（ＳＬ−ＳＲ）＝２Ｇ・ＳＲとなる。
すなわち、このＢＴＬ増幅回路を用いれば、図７に示したＢＴＬ増幅回路と同様の出力を得られることになる。
【００１３】
また、特許文献２には、ＢＴＬ増幅回路において、４端子のプラグを有するヘッドホンに高音質の信号を供給することができ、３端子のプラグを有するヘッドホンをも駆動することができるようにする技術が開示されている。
すなわち、このＢＴＬ増幅回路は、右チャネルの信号及び左チャネルの信号を＋ＳＲ信号,−ＳＲ信号,＋ＳＬ信号,−ＳＬ信号の４つの信号に分け、４端子の接続プラグを有するヘッドホンが接続された場合に、この４つの信号をヘッドホンに出力する。一方、３端子の接続プラグを有するヘッドホンが接続された場合には、−ＳＲ信号及び−ＳＬ信号を生成するアンプを接地することにより、＋ＳＲ信号及び＋ＳＬ信号のみをヘッドホンに出力する。
【００１４】
ところで、現在、市場に出回っているポータブルオーディオ機器の出力端子は３端子が大半を占めている。また、他の機器との接続部品（接続ケーブル）においても、３端子のプラグを有する製品が大半を占めている。このような一般に市販されている３端子の外部機器接続ケーブル（ＲＣＡ接続ケーブル）の外観図を図１４に示し、ケーブル内部の回路構成を図１５に示す。また、図１６に従来のＢＬＴ増幅回路（ＡＶ機器）のヘッドホン出力部の回路構成の一例を示す。図１６のＢＬＴ増幅回路は、図７のＢＬＴ増幅回路の反転増幅器１０２および１０４の出力側に負荷（抵抗）Ｒ１１およびＲ１２を備えた構成である。さらに、図１４に示した３端子の外部機器接続ケーブルを用いて、図１６のアンプ装置と３端子型の外部機器とを接続した場合の回路構成図を図１７に示す。
【００１５】
図１７に示すように、３端子の外部機器接続ケーブルを、従来のＢＬＴ増幅回路に接続すると、左右チャネルの負端子Ｌ−とＲ−とが短絡する。このため、左チャネルの音が右チャネルに、右チャネルの音が左チャネルに流れてしまうといった、クロストークが生じてしまう。すなわち、左右チャネル間のセパレーションが取れず、ステレオと感じられなくなる。
【００１６】
そこで、ＢＴＬ増幅回路を備えたアンプ装置を３端子型の外部接続機器に接続する場合のクロストークを低減するために、専用の外部機器接続ケーブル（専用ケーブル）を用いる方法がある。この専用ケーブルは、接続する３端子型外部機器のボイスコイル抵抗値に応じて抵抗値を設定した負荷（抵抗）をケーブルの内部に備えている。このような専用ケーブルの外観図を図１８に、内部回路構成を図１９に示す。
【００１７】
図１９に示したように、この専用ケーブルは、Ｌｉ＋,Ｌｉ−,Ｒｉ＋,Ｒｉ−の４つの入力端子と、Ｌｃｈ,Ｒｃｈ,Ｅの３つの出力端子とを備えている。
【００１８】
また、この図に示したように、この専用ケーブルの入力端子Ｌｉ＋,Ｒｉ＋は出力端子Ｌｃｈ,Ｒｃｈにそれぞれ接続されている。
そして、入力端子Ｌｉ−は負荷Ｒ９を介して出力端子Ｅに接続されており、負荷Ｒ９と出力端子Ｅとの間の点が、負荷Ｒ１０を介して入力端子Ｌｉ＋と出力端子Ｌｃｈとの間の点に接続されている。
また、入力端子Ｒｉ−は負荷Ｒ８介して出力端子Ｅに接続されており、負荷Ｒ８と出力端子Ｅとの間の点が、負荷Ｒ７を介して入力端子Ｒｉ＋と出力端子Ｒｃｈとの間の点に接続されている。
そして、この専用ケーブルの各負荷（Ｒ７,Ｒ８,Ｒ９,Ｒ１０）は、接続される外部機器の左右チャネルのボイスコイル抵抗の抵抗値と負荷Ｒ１０,Ｒ７の抵抗値との並列合成抵抗値が、負荷Ｒ９とＲ１１との抵抗値の和および負荷Ｒ８とＲ１２との抵抗値の和と、それぞれ近い値になるように設定されている。
【００１９】
図２０は、この専用ケーブルを用いて、図１６に示した従来の平衡出力型アンプ装置と、３端子型外部機器とを接続した場合の回路構成を示している。この図に示すように、専用ケーブルの出力端子Ｌｃｈ,Ｒｃｈには、平衡出力型アンプの非反転増幅器１０１・１０３からの出力信号が、それぞれ流れる。
【００２０】
また、専用ケーブルの出力端子Ｅには、負荷Ｒ１１およびＲ９を経た反転増幅器１０２からの出力信号、負荷Ｒ１０および外部機器を経た非反転増幅器１０１からの出力信号、負荷Ｒ１２およびＲ８を経た反転増幅器１０４からの出力信号、負荷Ｒ７および外部機器を経た非反転増幅器１０３からの出力信号、が流れる。
【００２１】
ここで、負荷Ｒ１０と外部機器の左チャネルのボイスコイル抵抗との並列合成抵抗値と、負荷Ｒ１１とＲ９との抵抗値の和とが近い値なので、専用ケーブルの出力端子Ｅには、振幅の絶対値の差が小さく、逆位相の２つの信号（非反転増幅器１０１および反転増幅器１０２からの出力信号）が入力されることになる。
同様に、負荷Ｒ７と外部機器の右チャネルのボイスコイル抵抗との並列合成抵抗値と、負荷Ｒ１２とＲ８との抵抗値の和とが近い値なので、専用ケーブルの出力端子Ｅには、振幅の絶対値の差が小さく、逆位相の２つの信号（非反転増幅器１０３および反転増幅器１０４からの出力信号）が入力されることになる。
したがって、専用ケーブルの出力端子Ｅにおける信号振幅は０に近くなり、信号がほとんど流れない。
【００２２】
このため、この専用ケーブルを用いることにより、ＢＴＬ増幅回路に３端子型外部機器を接続することが可能となる。
【特許文献１】特開２００１−１４４５６１号公報（公開日２００１年５月２５日）
【特許文献２】特開平２−２５２４００号広報（公開日１９９０年１０月１１日）
【発明の開示】
【発明が解決しようとする課題】
【００２３】
しかしながら、上記した特許文献１のＢＴＬ増幅回路には、４端子のヘッドホンを接続できないため、汎用性に劣るという問題がある。
また、Ｌ＋Ｒの信号を用いているため、増幅器１２１〜１２３のゲインに微差のある場合などに、Ｌ（あるいはＲ）信号だけを残すことが困難になる。このため、左チャネルの音が右チャネルに、右チャネルの音が左チャネルに流れてしまうといった、クロストークの生じる可能性がある。
【００２４】
また、特許文献２のＢＴＬ増幅回路では、４端子ヘッドホン、スピーカ等の平衡負荷をつないだ場合には問題ないが、３端子ヘッドホンまたはライン出力して次段が接地端子共通のアンプ等に接続した場合、セパレーション性能が悪化するという問題がある。これは、接続された外部機器（３端子型ヘッドホンまたはライン出力して次段が接地端子共通のアンプ等）の左右チャネルにおける負荷で発生する電位差が、ＢＴＬ増幅回路における左右チャネルの負端子間で短絡（ショート）されることによって０Ｖとなるためである。なお、セパレーション性能とは、ＬｃｈおよびＲｃｈのそれぞれが反対の信号にどれくらいの影響を与えるかの度合いを示すものである。
【００２５】
また、専用の外部機器接続ケーブルを用いる方法は、上記のような専用の外部機器接続ケーブルが市販には出回っておらず、ユーザーが入手することは困難である。
【００２６】
本発明は、上記のような従来の問題点を解決するために成されたものである。そして、その目的は、ＢＴＬ増幅回路のような平衡出力型のアンプ装置であって、３端子型外部機器を用いても、クロストークの影響を抑えることの可能なアンプ装置を提供することにある。
【課題を解決するための手段】
【００２７】
本発明の第１アンプ装置は、上記の課題を解決するために、接続された外部機器における左右のチャネルのそれぞれに対し、正相および逆相の信号をそれぞれ出力するアンプ装置において、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、さらに、外部機器によって両増幅回路の負端子間が接続されたときに、両増幅回路における負端子の電圧値を０に近づける制御部を備えていることを特徴としている。
【００２８】
また、本発明の第１アンプ装置は、上記両増幅回路が、逆相アンプと負端子との間に配された第１可変負荷を備えており、上記制御部は、各増幅回路の第１可変負荷の抵抗値を、各増幅回路の正端子と負端子との間の抵抗値に近づけるように調整することで、両増幅回路における負端子の電圧値を０に近づける構成としてもよい。
【００２９】
また、本発明の第１アンプ装置は、上記両増幅回路が、正端子と負端子との間を接続する第２可変負荷と、逆相アンプと負端子とを接続する主固定負荷を備えており、上記制御部は、各増幅回路の正端子と負端子との間の抵抗値を、逆相アンプと負端子との間の抵抗値に近づけるように、第２可変負荷の抵抗値を調整することで、両増幅回路における負端子の電圧値を０に近づける構成としてもよい。
【００３０】
また、本発明の第１アンプ装置は、各増幅回路の正端子と負端子との間の電位差を検出する第１検出部を備えており、上記制御部は、各増幅回路における第１あるいは第２可変負荷の抵抗値を、第１検出部の検出した電位差と正端子に出力されている信号の電圧値とを近づけるように、調整する構成としてもよい。
【００３１】
また、本発明の第１アンプ装置は、両増幅回路の負端子と接地点との電位差を測定する第２検出部を備え、上記制御部は、各増幅回路における第１あるいは第２可変負荷の抵抗値を、第２検出部の検出結果を０に近づけるように調整する構成としてもよい。
【００３２】
また、本発明の第１アンプ装置は、上記の第１可変負荷が、抵抗値の異なる複数の負荷を備えており、上記制御部は、逆相アンプと負端子との間に配する負荷を選択することで、第１可変負荷の抵抗値を調整する構成としてもよい。
【００３３】
また、本発明の第１アンプ装置は、上記の第２可変負荷が、抵抗値の異なる複数の負荷を備えており、上記制御部は、正端子と負端子との間に配する負荷を選択することで、第２可変負荷の抵抗値を調整する構成としてもよい。
【００３４】
また、本発明の第１アンプ装置は、上記第１あるいは第２可変負荷が、連続的に抵抗値の変化するものであってもよい。
【００３５】
また、本発明の第１アンプ装置は、上記第１可変負荷が、第１スイッチと、この第１スイッチに並列に接続された第１固定負荷とを備えており、上記制御部は、第１スイッチを開閉することで、第１可変負荷の抵抗値を調整する構成としてもよい。
【００３６】
また、本発明の第１アンプ装置は、上記第２可変負荷が、第２スイッチと、この第２スイッチに直列に接続された第２固定負荷とを備えており、上記制御部は、第２スイッチを開閉することで、第２可変負荷の抵抗値を調整する構成としてもよい。
【００３７】
また、本発明の第１アンプ装置は、上記逆相アンプと負端子との間に、主固定負荷と直列に第３固定負荷が備えられており、さらに、この第３固定負荷と並列に、第３スイッチが備えられており、上記制御部は、第３スイッチを開閉することで、逆相アンプと負端子との間の抵抗値を調整する構成としてもよい。
【００３８】
また、本発明の第１アンプ装置は、上記両増幅回路が、逆相アンプと負端子との間に配された第１可変負荷を備えており、上記制御部は、各増幅回路の第１可変負荷の抵抗値を、一方の増幅回路における正端子と負端子との間の抵抗値に近づけるように調整する構成としてもよい。
【００３９】
また、本発明の第１アンプ装置は、上記両増幅回路が、正端子と負端子との間を接続する第２可変負荷を備えており、上記制御部は、一方の増幅回路における正端子と負端子との間の抵抗値を逆相アンプと負端子との間の抵抗値に近づけるように、その増幅回路の第２可変負荷の抵抗値を調整した後、他方の増幅回路における第２可変負荷の抵抗値を、上記した一方の増幅回路における第２可変負荷の抵抗値と等しくする構成としてもよい。
【００４０】
本発明の第２アンプ装置は、上記の課題を解決するために、接続された外部機器における左右のチャネルのそれぞれに対し、正相および逆相の信号をそれぞれ出力するアンプ装置において、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、さらに、外部機器によって両増幅回路の正端子間が接続されたときに、両増幅回路における正端子の電圧値を０に近づける制御部を備えていることを特徴としている。
【００４１】
また、本発明の第２アンプ装置は、上記両増幅回路が、正相アンプと正端子との間に配された第１可変負荷を備えており、上記制御部は、各増幅回路の第１可変負荷の抵抗値を、各増幅回路の正端子と負端子との間の抵抗値に近づけるように調整することで、両増幅回路における正端子の電圧値を０に近づける構成としてもよい。
【００４２】
また、本発明の第２アンプ装置は、上記両増幅回路が、正端子と負端子との間を接続する第２可変負荷と、正相アンプと正端子とを接続する主固定負荷を備えており、上記制御部は、各増幅回路の正端子と負端子との間の抵抗値を、正相アンプと正端子との間の抵抗値に近づけるように、第２可変負荷の抵抗値を調整することで、両増幅回路における正端子の電圧値を０に近づける構成としてもよい。
【００４３】
また、本発明の第２アンプ装置は、各増幅回路の正端子と負端子との間の電位差を検出する第１検出部を備えており、上記制御部は、各増幅回路における第１あるいは第２可変負荷の抵抗値を、第１検出部の検出した電位差と負端子に出力されている信号の電圧値とを近づけるように調整する構成としてもよい。
【００４４】
また、本発明の第２アンプ装置は、上記制御部は、各増幅回路における第１あるいは第２可変負荷の抵抗値を、第２検出部の検出結果を０に近づけるように調整する構成としてもよい。
【００４５】
また、本発明の第２アンプ装置は、上記の第１可変負荷が、抵抗値の異なる複数の負荷を備えており、上記制御部は、正相アンプと正端子との間に配する負荷を選択することで、第１可変負荷の抵抗値を調整する構成としてもよい。
【００４６】
また、本発明の第２アンプ装置は、上記の第２可変負荷が、抵抗値の異なる複数の負荷を備えており、上記制御部は、正端子と負端子との間に配する負荷を選択することで、第２可変負荷の抵抗値を調整する構成としてもよい。
【００４７】
また、本発明の第２アンプ装置は、上記第１あるいは第２可変負荷が、連続的に抵抗値の変化するものであってもよい。
【００４８】
また、本発明の第２アンプ装置は、上記第１可変負荷が、第１スイッチと、この第１スイッチに並列に接続された第１固定負荷とを備えており、上記制御部は、第１スイッチを開閉することで、第１可変負荷の抵抗値を調整する構成としてもよい。
【００４９】
また、本発明の第２アンプ装置は、上記第２可変負荷が、第２スイッチと、この第２スイッチに直列に接続された第２固定負荷とを備えており、上記制御部は、第２スイッチを開閉することで、第２可変負荷の抵抗値を調整する構成としてもよい。
【００５０】
また、本発明の第２アンプ装置は、上記正相アンプと正端子との間に、主固定負荷と直列に第３固定負荷が備えられており、さらに、この第３固定負荷と並列に、第３スイッチが備えられており、上記制御部は、第３スイッチを開閉することで、正相アンプと正端子との間の抵抗値を調整する構成としてもよい。
【００５１】
また、本発明の第２アンプ装置は、上記両増幅回路が、正相アンプと正端子との間に配された第１可変負荷を備えており、上記制御部は、各増幅回路の第１可変負荷の抵抗値を、一方の増幅回路における正端子と負端子との間の抵抗値に近づけるように調整する構成としてもよい。
【００５２】
また、本発明の第２アンプ装置は、上記両増幅回路が、正端子と負端子との間を接続する第２可変負荷を備えており、上記制御部は、一方の増幅回路における正端子と負端子との間の抵抗値を正相アンプと正端子との間の抵抗値に近づけるように、その増幅回路の第２可変負荷の抵抗値を調整した後、他方の増幅回路における第２可変負荷の抵抗値を、上記した一方の増幅回路における第２可変負荷の抵抗値と等しくする構成としてもよい。
【００５３】
また、本発明の第１アンプ装置および第２アンプ装置は、音響機器（オーディオ装置）に備えられるものであってもよい。例えば、本発明の第１アンプ装置および第２アンプ装置は、ステレオ装置（立体音響再生増幅装置）であれば、テレビジョン受像機，ビデオテープ再生機（ビデオデッキ），ＣＤ（compact disc）プレーヤー（ＣＤ再生機），ＭＤ（mini disc）プレーヤー（ＭＤ再生機），ＤＶＤ（digital versatile disc）プレーヤー（ＤＶＤ再生機），コンポーネントステレオ，携帯型ステレオ装置（ＣＤラジオカセットデッキ等）などに備えることができる。
【００５４】
本発明の第１信号出力方法は、上記の課題を解決するために、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有するアンプ装置によって、このアンプ装置に接続された外部機器における左右のチャネルのそれぞれに対して、正相および逆相の信号をそれぞれ出力する信号出力方法において、外部機器によって両増幅回路の負端子間が接続されたか否かを検出する検出工程と、負端子間が接続された場合に、両増幅回路における負端子の電圧値を０に近づける電圧値調整工程とを含むことを特徴としている。
【００５５】
本発明の第２信号出力方法は、上記の課題を解決するために、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有するアンプ装置によって、このアンプ装置に接続された外部機器における左右のチャネルのそれぞれに対して、正相および逆相の信号をそれぞれ出力する信号出力方法において、外部機器によって両増幅回路の正端子間が接続されたか否かを検出する検出工程と、正端子間が接続された場合に、両増幅回路における正端子の電圧値を０に近づける電圧値調整工程とを含むことを特徴としている。
【発明の効果】
【００５６】
以上のように、本発明のアンプ装置（第１アンプ装置）は、接続された外部機器における左右のチャネルのそれぞれに対し、正相および逆相の信号をそれぞれ出力するアンプ装置において、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、さらに、外部機器によって両増幅回路の負端子間が接続されたときに、両増幅回路における負端子の電圧値を０に近づける制御部を備えている構成である。
【００５７】
第１アンプ装置では、左右チャネルの（両増幅回路の）負端子間が互いに接続（短絡）された場合、制御部が、左チャネル増幅回路および右チャネル増幅回路の双方の負端子の電圧値を、０に近づけるように設定されている。
【００５８】
これにより、第１アンプ装置では、接続された負端子間での信号伝達、すなわち、左右のチャネル間での信号伝達が、低減される。従って、３端子型ヘッドホンのような外部機器を適用した場合でも、クロストークを抑制することが可能となる。
【００５９】
また、音響機器（オーディオ装置）に第１アンプ装置を備えることで、４端子型外部機器（４端子型ヘッドホン、平衡入力アンプなど）および３端子型外部機器（３端子型ヘッドホン、不平衡入力アンプなど）を良好に使用できる音響機器を実現できる。
【００６０】
また、第１アンプ装置では、制御部が、左チャネル増幅回路および右チャネル増幅回路の双方の負端子の電圧値を、０とすることがより好ましい。これにより、第１アンプ装置では、接続された負端子間での信号伝達、すなわち、左右のチャネル間での信号伝達が、実質的に行われない。従って、３端子型ヘッドホンのような外部機器を適用した場合でも、クロストークを回避することが可能となる。
【００６１】
また、第１アンプ装置では、左右チャネルの増幅回路における逆相アンプと負端子との間に、第１可変負荷を配することが好ましい。
そして、この構成では、左右チャネルの負端子間が接続されたときに、制御部は、各増幅回路の第１可変負荷の抵抗値を、各増幅回路の正端子と負端子との間の抵抗値に近づけるように調整することが好ましい。
【００６２】
ここで、増幅回路における正端子と負端子との間の抵抗値は、第１アンプ装置に接続される外部機器の抵抗値である。
この構成では、負端子の電圧値は、第１可変負荷を経た逆相アンプからの信号振幅と、外部機器を経た正相アンプからの信号振幅との和となる。
従って、両増幅回路のそれぞれに関し、第１可変負荷の抵抗値を外部機器の抵抗値に近づけることで、振幅の絶対値の差が小さく符号の異なる２つの信号を負端子に供給できる。このため、負端子の電圧値を容易に０に近づけることができる。
【００６３】
また、この構成では、左右チャネルの負端子間が接続されたときに、制御部が、各増幅回路の第１可変負荷の抵抗値を、各増幅回路の正端子と負端子との間の抵抗値と等しい値に調整することがより好ましい。
これにより、振幅の絶対値が等しく符号の異なる２つの信号を負端子に供給できる。このため、負端子の電圧値を容易に０とできる。
【００６４】
また、第１アンプ装置が、左右チャネルの増幅回路における正端子と負端子との間を接続する第２可変負荷と、逆相アンプと負端子とを接続する主固定負荷を備えた構成としてもよい。
【００６５】
そして、この構成では、外部機器によって左右チャネルの負端子間が接続されたときに、制御部が、各増幅回路の正端子と負端子との間の抵抗値を、逆相アンプと負端子との間の抵抗値に近づけるように、第２可変負荷の抵抗値を調整することが好ましい。
この場合、増幅回路における正端子と負端子との間の抵抗値は、第２可変負荷の抵抗値と第１アンプ装置に接続される外部機器の抵抗値との並列合成抵抗値である。
【００６６】
また、この構成では、負端子の電圧値は、逆相アンプから主固定負荷を経て負端子に入力された信号振幅と、外部機器および第２可変負荷を経た正相アンプからの信号振幅との和となる。
【００６７】
従って、両増幅回路のそれぞれに関し、上記の合成抵抗値を、逆相アンプと負端子との間の抵抗値に近づけることで、振幅の絶対値の差が小さく符号の異なる２つの信号を負端子に供給できる。これにより、負端子の電圧値を容易に０に近づけることができる。
【００６８】
なお、両増幅回路の正端子と負端子との間に備えられる第２可変負荷は、回路を実質的に遮断できるものであってもよい。
【００６９】
また、このような第１あるいは第２可変負荷を用いる場合、第１アンプ装置に、各増幅回路の正端子と負端子との間の電位差を検出する第１検出部を備えることが好ましい。
そして、この場合には、制御部は、各増幅回路における第１あるいは第２可変負荷の抵抗値を、第１検出部の検出した電位差と、正端子に出力されている信号の電圧値とを近づけるように、調整することが好ましい（これらの電位差と電圧値とが近づけば、負端子の電圧値は必ず０に近づく）。
これにより、可変負荷の適切な抵抗値を容易に決定できる。
【００７０】
なお、正端子に出力されている信号の電圧値、とは、正端子の電位を測定した結果であっても、また、正相アンプから出力されていると考えられる信号の振幅（正相アンプへの入力信号の振幅値と、このアンプのゲインとの積）であってもよい。
また、上記のような制御部による電圧値の比較の際、第１アンプ装置において増幅する信号は、通常の信号（音声信号など）であっても、また、比較に適切な専用の信号であってもよい。
【００７１】
また、この場合、制御部は、第１検出部の検出した電位差と、正端子に出力されている信号の電圧値とを等しくするように、各増幅回路の第１あるいは第２可変負荷の抵抗値を調整することがより好ましい（これらの電位差と電圧値とが等しいときには、負端子の電圧値は必ず０である）。
これにより、第１あるいは第２可変負荷の適切な抵抗値を容易に決定できる。
【００７２】
また、第１あるいは第２可変負荷を用いる場合、両増幅回路の負端子と接地点との電位差を測定する第２検出部を備えるようにしてもよい。
この場合、制御部は、第２検出部の検出結果を０に近づけるように、各増幅回路における第１あるいは第２可変負荷の抵抗値を調整することが好ましい。
この構成でも、可変負荷の適切な抵抗値を容易に取得できる。
【００７３】
また、可変負荷における抵抗値の決定を、増幅後の信号に対する測定結果に応じて行うため、環境変化（温度変化）などによって正相アンプおよび逆相アンプのゲインが変化してしまっても、負端子の電位を確実に０に近づけることができる。
また、この場合も、制御部は、第２検出部の検出結果を０とするように、各増幅回路の第１あるいは第２可変負荷の抵抗値を調整することがより好ましい。これにより、負端子の電位を確実に０とできる。
【００７４】
また、上記のような第１可変負荷としては、例えば、抵抗値の異なる複数の負荷を備えているものを利用できる。このような第１可変負荷は、いずれかの負荷を、逆相アンプと負端子との間に配するものである。
この場合、制御部は、逆相アンプと負端子との間に配する負荷を選択することで、第１可変負荷の抵抗値を調整することとなる。
【００７５】
また、上記のような第２可変負荷としては、抵抗値の異なる複数の負荷を備えているものを利用できる。このような第２可変負荷は、いずれかの負荷を、正端子と負端子との間に配するものである。
この場合、制御部は、正端子と負端子との間に配する負荷を選択することで、第２可変負荷の抵抗値を調整することとなる。
また、第１あるいは第２可変負荷として、連続的に抵抗値の変化するものを用いてもよい。
【００７６】
また、上記の第１可変負荷が、第１スイッチと、この第１スイッチに並列に接続された第１固定負荷であってもよい。
この場合、制御部が、第１スイッチを開閉することで、第１可変負荷の抵抗値を調整することとなる。すなわち、制御部は、第１スイッチを開くことにより、第１可変負荷の抵抗値を第１固定負荷の抵抗値とし、第１スイッチを閉じることで、第１可変負荷の抵抗値を０とする。
【００７７】
そして、この場合には、第１固定負荷の抵抗値を、接続される外部機器の抵抗値と等しく設定しておくことがより好ましい。（第１固定負荷の抵抗値と、接続される外部機器の抵抗値とが等しい場合、負端子の電圧値を０とできる）。したがって、この構成は、接続される外部機器の抵抗値がわかっている場合に有効である。
【００７８】
また、上記の第２可変負荷が、第２スイッチと、この第２スイッチに直列に接続された第２固定負荷であってもよい。
この場合、制御部が、第２スイッチを開閉することで、第２可変負荷の抵抗値を調整することとなる。すなわち、制御部は、第２スイッチを閉じることにより、正端子と負端子の間の抵抗値を第２固定負荷と外部機器の抵抗値との並列合成抵抗値とし、第２スイッチを開くことにより、正端子と負端子の間の抵抗値を外部機器の抵抗値とする。
【００７９】
そして、この場合には、第２固定負荷の抵抗値を、この第２固定負荷と外部機器との並列合成抵抗値が、逆相アンプと負端子の間の抵抗値と等しくなるように設定しておくことがより好ましい。（上記の合成抵抗値と逆相アンプと負端子の間の抵抗値とが等しい場合、負端子の電圧値を０とできる）。したがって、この構成は、接続される外部機器の抵抗値がわかっている場合に有効である。
【００８０】
また、上記の第２可変負荷が、第２スイッチと、この第２スイッチに直列に接続された第２固定負荷で構成され、逆相アンプと負端子との間に、主固定負荷と直列に第３固定負荷が備えられており、さらに、この第３固定負荷と並列に、第３スイッチを備えられる構成としてもよい。
この場合、制御部が、第２スイッチを開閉することにより正端子と負端子との間の抵抗値を調整するとともに、第３スイッチを開閉することで逆相アンプと負端子との間の抵抗値を調整することができる。したがって、より精度の高い調整が可能となる。
【００８１】
そして、この場合にも、第２固定負荷の抵抗値を、この第２固定負荷と外部機器との並列合成抵抗値が、逆相アンプと負端子の間の抵抗値と等しくなるように設定しておくことがより好ましい。（上記の合成抵抗値と逆相アンプと負端子の間の抵抗値とが等しい場合、負端子の電圧値を０とできる）。したがって、この構成もまた、接続される外部機器の抵抗値がわかっている場合に有効である。
【００８２】
また、第１アンプ装置では、各増幅回路における逆相アンプと負端子との間に第１可変負荷を配する場合、制御部が、各増幅回路の第１可変負荷の抵抗値を、一方の増幅回路における正端子と負端子との間の抵抗値に近づけるように調整するようにしてもよい。
あるいは、各増幅回路における正端子と負端子との間に第２可変負荷を配する場合、制御部が、一方の増幅回路における正端子と負端子との間の抵抗値を、逆相アンプと負端子との間の抵抗値とを近づけるように、その増幅回路の第２可変負荷の抵抗値を調整した後、他方の増幅回路における第２可変負荷の抵抗値を、上記した一方の増幅回路における第２可変負荷の抵抗値を等しくするようにしてもよい。
【００８３】
これらの構成では、制御部が、各増幅回路の第１あるいは第２可変負荷の抵抗値を、一方の増幅回路における正端子と負端子との間の抵抗値（この間に第２可変負荷を備える場合には、上記した合成抵抗値）と、各増幅回路の逆相アンプと負端子との間の抵抗値とを近づけるように調整することとなる。
従って、この構成は、外部機器の抵抗値が、左右のチャネルにおいて互いにほぼ同一である場合に有効である。
また、この構成では、一方のチャネルにおける外部機器の抵抗値を考慮する必要がないので、第１あるいは第２可変負荷の抵抗値を簡単に設定できる。
【００８４】
また、この構成でも、制御部が、各増幅回路の第１あるいは第２可変負荷の抵抗値を、一方の増幅回路における正端子と負端子との間の抵抗値と、各増幅回路の逆相アンプと負端子との間の抵抗値とを等しくするように調整することがより好ましい。
【００８５】
また、本発明の第１信号出力方法は、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有するアンプ装置によって、このアンプ装置に接続された外部機器における左右のチャネルのそれぞれに対して、正相および逆相の信号をそれぞれ出力する信号出力方法において、外部機器によって両増幅回路の負端子間が接続されたか否かを検出する検出工程と、負端子間が接続された場合に、両増幅回路における負端子の電圧値を０に近づける電圧値調整工程とを含む方法である。
【００８６】
第１出力方法は、上記した第１アンプ装置において使用されている方法である。従って、第１出力方法を用いれば、接続された負端子間での信号伝達、すなわち、左右のチャネル間での信号伝達が、低減される。従って、３端子型外部機器（ヘッドホンなど）のような外部機器を適用した場合でも、クロストークを抑制することが可能となる。
【００８７】
また、第１信号出力方法の電圧値調整工程では、両増幅回路における負端子の電圧値を０とすることがより好ましい。これにより、左右のチャネル間での信号伝達が、実質的に行われない。従って、３端子型ヘッドホンのような外部機器を適用した場合でも、クロストークを回避することが可能となる。
【００８８】
また、本発明の第２アンプ装置は、接続された外部機器における左右のチャネルのそれぞれに対し、正相および逆相の信号をそれぞれ出力するアンプ装置において、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、さらに、外部機器によって両増幅回路の正端子間が接続されたときに、両増幅回路における正端子の電圧値を０に近づける制御部を備えた構成である。
【００８９】
この第２アンプ装置は、第１アンプ装置の構成に比して、制御部の機能が異なるものである。
すなわち、適用される外部機器によっては、アンプ装置における左右チャネルの（両増幅回路の）正端子間が互いに接続（短絡）される可能性もある。
そして、第２アンプ装置は、このような、正端子間を接続するような外部機器に対しても、クロストークを回避できるような出力を行うためのものである。
【００９０】
つまり、第２アンプ装置の制御部は、３端子型ヘッドホンのような外部機器によって、左右チャネルの（両増幅回路の）正端子間が互いに接続（短絡）された場合、左チャネル増幅回路および右チャネル増幅回路における双方の正端子の電圧値を、０に近づけるように設定されている。
【００９１】
これにより、第２アンプ装置では、接続された正端子間での信号伝達、すなわち、左右のチャネル間での信号伝達が、低減される従って、上記のような場合でも、クロストークを抑制できる。
【００９２】
また、音響機器（オーディオ装置）に第２アンプ装置を備えることで、４端子型外部機器（４端子型ヘッドホン、平衡入力アンプなど）および３端子型外部機器（３端子型ヘッドホン、不平衡入力アンプなど）を良好に使用できる音響機器を実現できる。
【００９３】
また、第２アンプ装置では、制御部が、左チャネル増幅回路および右チャネル増幅回路の双方の正端子の電圧値を、０とすることがより好ましい。これにより、第２アンプ装置では、接続された正端子間での信号伝達、すなわち、左右のチャネル間での信号伝達が、実質的に行われない。従って、３端子型ヘッドホンのような外部機器を適用した場合でも、クロストークを回避することが可能となる。
【００９４】
また、第２アンプ装置では、左右チャネルの増幅回路における正相アンプと正端子との間に、第１可変負荷を配することが好ましい。
そして、この構成では、左右チャネルの正端子間が接続されたときに、制御部は、各増幅回路の第１可変負荷の抵抗値を、各増幅回路の正端子と負端子との間の抵抗値に近づけるように調整することが好ましい。
ここで、増幅回路における正端子と負端子との間の抵抗値は、第２アンプ装置に接続される外部機器の抵抗値である。
【００９５】
この構成では、正端子の電圧値は、第１可変負荷を経た正相アンプからの信号振幅と、外部機器を経た逆相アンプからの信号振幅との和となる。
従って、両増幅回路のそれぞれに関し、第１可変負荷の抵抗値を外部機器の抵抗値に近づけることで、振幅の絶対値の差が小さく符号の異なる２つの信号を正端子に供給できる。このため、正端子の電圧値を容易に０に近づけることができる。
【００９６】
また、この構成では、左右チャネルの正端子間が接続されたときに、制御部が、各増幅回路の可変負荷の抵抗値を、各増幅回路の正端子と負端子との間の抵抗値と等しい値に調整することがより好ましい。
これにより、振幅の絶対値が等しく符号の異なる２つの信号を正端子に供給できる。このため、正端子の電圧値を容易に０とできる。
【００９７】
また、第２アンプ装置は、左右チャネルの増幅回路における正端子と負端子との間を接続する第２可変負荷と、正相アンプと正端子とを接続する主固定負荷を備えた構成としてもよい。
【００９８】
そして、この構成では、外部機器によって左右チャネルの正端子間が接続されたときに、制御部は、各増幅回路の正端子と負端子との間の抵抗値を、正相アンプと正端子との間の抵抗値に近づけるように、第２可変負荷の抵抗値を調整することが好ましい。
この場合、増幅回路における正端子と負端子との間の抵抗値は、第２可変負荷の抵抗値と第２アンプ装置に接続される外部機器の抵抗値との並列合成抵抗値である。
【００９９】
また、この構成では、正端子の電圧値は、正相アンプから主固定負荷を経て正端子に入力された信号振幅と、外部機器および第２可変負荷を経た逆相アンプからの信号振幅との和となる。
【０１００】
従って、両増幅回路のそれぞれに関し、上記の合成抵抗値を、正相アンプと正端子との間の抵抗値に近づけることで、振幅の絶対値の差が小さく符号の異なる２つの信号を正端子に供給できる。これにより、正端子の電圧値を容易に０に近づけることができる。
【０１０１】
なお、両増幅回路の正端子と負端子との間に備えられる第２可変負荷は、回路を実質的に遮断できるものであってもよい。
【０１０２】
また、このような第１あるいは第２可変負荷を用いる場合、第２アンプ装置に、各増幅回路の正端子と負端子との間の電位差を検出する第１検出部を備えることが好ましい。
そして、この場合には、制御部は、各増幅回路における第１あるいは第２可変負荷の抵抗値を、第１検出部の検出した電位差と、負端子に出力されている信号の電圧値とを近づけるように、調整することが好ましい（これらの電位差と電圧値とが近づけば、正端子の電圧値は必ず０に近づく）。
これにより、可変負荷の適切な抵抗値を容易に決定できる。
【０１０３】
なお、負端子に出力されている信号の電圧値、とは、負端子の電位を測定した結果であっても、また、逆相アンプから出力されていると考えられる信号の振幅（逆相アンプへの入力信号の振幅値と、このアンプのゲインとの積）であってもよい。
また、上記のような制御部による電圧値の比較の際、第２アンプ装置において増幅する信号は、通常の信号（音声信号など）であっても、また、比較に適切な専用の信号であってもよい。
【０１０４】
また、この場合、制御部は、第１検出部の検出した電位差と、負端子に出力されている信号の電圧値とを等しくするように、各増幅回路の第１あるいは第２可変負荷の抵抗値を調整することがより好ましい（これらの電位差と電圧値とが等しいときには、正端子の電圧値は必ず０である）。
これにより、第１あるいは第２可変負荷の適切な抵抗値を容易に決定できる。
【０１０５】
また、第１あるいは第２可変負荷を用いる場合、両増幅回路の正端子と接地点との電位差を測定する第２検出部を備えるようにしてもよい。
この場合、制御部は、第２検出部の検出結果を０に近づけるように、各増幅回路における第１あるいは第２可変負荷の抵抗値を調整することが好ましい。
この構成でも、可変負荷の適切な抵抗値を容易に取得できる。
【０１０６】
また、可変負荷における抵抗値の決定を、増幅後の信号に対する測定結果に応じて行うため、環境変化（温度変化）などによって正相アンプおよび逆相アンプのゲインが変化してしまっても、正端子の電位を確実に０に近づけることができる。
また、この場合も、制御部は、第２検出部の検出結果を０とするように、各増幅回路の第１あるいは第２可変負荷の抵抗値を調整することがより好ましい。これにより、正端子の電位を確実に０とできる。
【０１０７】
また、上記のような第１可変負荷としては、例えば、抵抗値の異なる複数の負荷を備えているものを利用できる。このような第１可変負荷は、いずれかの負荷を、正相アンプと正端子との間に配するものである。
この場合、制御部は、正相アンプと正端子との間に配する負荷を選択することで、第１可変負荷の抵抗値を調整することとなる。
【０１０８】
また、上記のような第２可変負荷としては、抵抗値の異なる複数の負荷を備えているものを利用できる。このような第２可変負荷は、いずれかの負荷を、正端子と負端子との間に配するものである。
この場合、制御部は、正端子と負端子との間に配する負荷を選択することで、第２可変負荷の抵抗値を調整することとなる。
また、第１あるいは第２可変負荷として、連続的に抵抗値の変化するものを用いてもよい。
【０１０９】
また、上記の第１可変負荷は、第１スイッチと、この第１スイッチに並列に接続された第１固定負荷であってもよい。
この場合、制御部は、第１スイッチを開閉することで、第１可変負荷の抵抗値を調整することとなる。すなわち、制御部は、第１スイッチを開くことにより、第１可変負荷の抵抗値を第１固定負荷の抵抗値とし、第１スイッチを閉じることで、第１可変負荷の抵抗値を０とする。
【０１１０】
そして、この場合には、第１固定負荷の抵抗値を、接続される外部機器の抵抗値と等しく設定しておくことがより好ましい。（第１固定負荷の抵抗値と、接続される外部機器の抵抗値とが等しい場合、正端子の電圧値を０とできる）。したがって、この構成は、接続される外部機器の抵抗値がわかっている場合に有効である。
【０１１１】
また、上記の第２可変負荷は、第２スイッチと、この第２スイッチに直列に接続された第２固定負荷であってもよい。
この場合、制御部は、第２スイッチを開閉することで、第２可変負荷の抵抗値を調整することとなる。すなわち、制御部は、第２スイッチを閉じることにより、正端子と負端子の間の抵抗値を第２固定負荷と外部機器の抵抗値との並列合成抵抗値とし、第２スイッチを開くことにより、正端子と負端子の間の抵抗値を外部機器の抵抗値とする。
【０１１２】
そして、この場合には、第２固定負荷の抵抗値を、この第２固定負荷と外部機器との並列合成抵抗値が、正相アンプと正端子の間の抵抗値と等しくなるように設定しておくことがより好ましい。（上記の合成抵抗値と正相アンプと正端子の間の抵抗値とが等しい場合、正端子の電圧値を０とできる）。したがって、この構成は、接続される外部機器の抵抗値がわかっている場合に有効である。
【０１１３】
また、上記の第２可変負荷が、第２スイッチと、この第２スイッチに直列に接続された第２固定負荷で構成され、正相アンプと正端子との間に、主固定負荷と直列に第３固定負荷が備えられており、さらに、この第３固定負荷と並列に、第３スイッチを備えられる構成としてもよい。
この場合、制御部は、第２スイッチを開閉することにより正端子と負端子との間の抵抗値を調整するとともに、第３スイッチを開閉することで正相アンプと正端子との間の抵抗値を調整することができる。したがって、より精度の高い調整が可能となる。
【０１１４】
そして、この場合にも、第２固定負荷の抵抗値を、この第２固定負荷と外部機器との並列合成抵抗値が、正相アンプと正端子の間の抵抗値と等しくなるように設定しておくことがより好ましい。（上記の合成抵抗値と正相アンプと正端子の間の抵抗値とが等しい場合、正端子の電圧値を０とできる）。したがって、この構成もまた、接続される外部機器の抵抗値がわかっている場合に有効である。
【０１１５】
また、第２アンプ装置では、各増幅回路における正相アンプと正端子との間に第１可変負荷を配する場合、制御部が、各増幅回路の第１可変負荷の抵抗値を、一方の増幅回路における正端子と負端子との間の抵抗値に近づけるように調整するようにしてもよい。
あるいは、各増幅回路における正端子と負端子との間に第２可変負荷を配する場合、制御部が、一方の増幅回路における正端子と負端子との間の抵抗値を、正相アンプと正端子との間の抵抗値とを近づけるように、その増幅回路の第２可変負荷の抵抗値を調整した後、他方の増幅回路における第２可変負荷の抵抗値を、上記した一方の増幅回路における第２可変負荷の抵抗値を等しくするようにしてもよい。
【０１１６】
これらの構成では、制御部が、各増幅回路の第１あるいは第２可変負荷の抵抗値を、一方の増幅回路における正端子と負端子との間の抵抗値（この間に第２可変負荷を備える場合には、上記した合成抵抗値）と、各増幅回路の正相アンプと正端子との間の抵抗値とを近づけるように調整することとなる。
従って、この構成は、外部機器の抵抗値が、左右のチャネルにおいて互いにほぼ同一である場合に有効である。
また、この構成では、一方のチャネルにおける外部機器の抵抗値を考慮する必要がないので、第１あるいは第２可変負荷の抵抗値を簡単に設定できる。
【０１１７】
また、この構成でも、制御部が、各増幅回路の第１あるいは第２可変負荷の抵抗値を、一方の増幅回路における正端子と負端子との間の抵抗値と、各増幅回路の正相アンプと正端子との間の抵抗値とを等しくするように調整することがより好ましい。
【０１１８】
また、第１アンプ装置および第２アンプ装置は、音響機器（オーディオ装置）に備えられるものであってもよい。
【０１１９】
音響装置に第１アンプ装置または第２アンプ装置を備えることで、４端子型外部機器（４端子型ヘッドホン、平衡入力アンプなど）および３端子型外部機器（３端子型ヘッドホン、不平衡入力アンプなど）を良好に使用できる音響機器を実現できる。なお、このような音響装置としては、ステレオ装置（立体音響再生増幅装置）であれば、テレビジョン受像機，ビデオテープ再生機（ビデオデッキ），ＣＤ（compact disc）プレーヤー（ＣＤ再生機），ＭＤ（mini disc）プレーヤー（ＭＤ再生機），ＤＶＤ（digital versatile disc）プレーヤー（ＤＶＤ再生機），コンポーネントステレオ，携帯型ステレオ装置（ＣＤラジオカセットデッキ等）など、どのような機器であってもよい。
【０１２０】
また、本発明の第２信号出力方法は、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有するアンプ装置によって、このアンプ装置に接続された外部機器における左右のチャネルのそれぞれに対して、正相および逆相の信号をそれぞれ出力する信号出力方法において、外部機器によって両増幅回路の正端子間が接続されたか否かを検出する検出工程と、正端子間が接続された場合に、両増幅回路における正端子の電圧値を０に近づける電圧値調整工程とを含む方法である。
【０１２１】
第２出力方法は、上記した第２アンプ装置において使用されている方法である。従って、第２出力方法を用いれば、接続された正端子間での信号伝達、すなわち、左右のチャネル間での信号伝達が、低減される。従って、３端子型ヘッドホンのような外部機器を適用した場合でも、クロストークを抑制することが可能となる。
【０１２２】
また、第２信号出力方法の電圧値調整工程では、両増幅回路における正端子の電圧値を０とすることがより好ましい。これにより、左右のチャネル間での信号伝達が、実質的に行われない。従って、３端子型ヘッドホンのような外部機器を適用した場合でも、クロストークを回避することが可能となる。
【発明を実施するための最良の形態】
【０１２３】
本発明の一実施の形態について説明する。
本実施の形態にかかるアンプ装置（本アンプ装置）は、音響機器に備えられる、ステレオヘッドホン用の平衡出力型アンプ装置である。なお、平衡出力型のアンプ装置とは、左右のチャネルに、正相信号と逆相信号との双方を出力するタイプのアンプ装置のことである。
【０１２４】
また、本アンプ装置は、左右のチャネルのそれぞれにおいて、２つのアンプをブリッジ接続して１つの信号を出力するＢＴＬ（Bridged Transless）増幅回路となっている。
そして、本アンプ装置は、基本的には４端子型ヘッドホンのための装置であるが、３端子型ヘッドホンに対しても、信号出力を良好に行える装置である。
【０１２５】
図１は、本アンプ装置の構成を示すブロック図である。
この図に示すように、本アンプ装置は、左チャネル増幅回路１１，右チャネル増幅回路１２，ＡＤ変換器１３，制御器１４を備えている。
【０１２６】
左チャネル増幅回路１１は、外部から入力される左チャネル用の信号（オーディオ信号）を増幅し、ステレオヘッドホン（図示せず）の左チャネルに出力するものである。
同様に、右チャネル増幅回路１２は、外部から入力される右チャネル用の信号を増幅し、ヘッドホンの右チャネルに出力するものである。
【０１２７】
そして、これら２つの増幅回路１１・１２は、それぞれ、入力セレクタ２１，正相アンプ（演算増幅器）２２，逆相アンプ（演算増幅器）２３，可変負荷（第１可変負荷）２４および負荷セレクタ２５を備えている。
【０１２８】
なお、図１におけるＲ１（Ｒ２）は、本アンプ装置に接続されたヘッドホンにおける、左（右）チャネルのボイスコイル（ボイス・コイル）の抵抗である。
【０１２９】
本アンプ装置の増幅回路１１・１２における入力セレクタ２１は、外部入力される、後述する２種類の信号の１つを選択し、アンプ２２・２３に出力するものである。
【０１３０】
この入力セレクタ２１には、左チャネルあるいは右チャネル用の通常の音声信号（通常信号；ヘッドホンにおいて再生するための信号）と、後述する負荷調整信号とが入力される。
そして、入力セレクタ２１は、後述する制御器１４からの指示（セレクト信号による指示）により、アンプ２２・２３に出力する信号を選択するようになっている。
【０１３１】
正相アンプ２２は、入力セレクタ２１から出力された信号を所定のゲインで非反転増幅し、正相信号を生成するものである。
また、逆相アンプ２３は、同じく入力セレクタ２１から出力された信号を、正相アンプ２２と等しいゲインで反転増幅し、逆相信号を生成するものである。
【０１３２】
また、左チャネル増幅回路１１には、左正端子（左チャンネル正相出力端子）Ｇおよび左負端子（左チャンネル逆相出力端子）Ｈが備えられている。同様に、右チャネル増幅回路１２には、右正端子（右チャンネル正相出力端子）Ｉおよび右負端子（右チャンネル逆相出力端子）Ｊが備えられている。
【０１３３】
そして、左正端子Ｇおよび右正端子Ｉは、各増幅回路１１・１２の正相アンプ２２から出力される正相信号を出力するための端子である。
また、左負端子Ｈおよび右負端子Ｊは、各増幅回路１１・１２の逆相アンプ２３から出力される逆相信号を出力するための端子である（逆相信号は、制御器１４の制御により、可変負荷２４によって振幅（電圧）を調整されることがあるが、これについては後述する）。
【０１３４】
これら端子Ｇ〜Ｊは、ヘッドホンのプラグを挿入するジャック内で、奥側からＧ，Ｉ，Ｈ，Ｊの順に並んで配置されている。
従って、本アンプ装置に対し、図６に示すようなプラグを有する４端子型ヘッドホンを適用する場合、これら端子Ｇ，Ｉ，Ｈ，Ｊが、プラグの端子Ｌ＋，Ｒ＋，Ｌ−，Ｒ−に接続される。
【０１３５】
また、図５に示すようなプラグを有する３端子型ヘッドホンを適用する場合、正端子Ｇ・Ｉがプラグの端子Ｌ＋・Ｒ＋に接続される一方、負端子Ｈ・Ｊが、プラグの接地端子Ｅに共通に接続されることとなる。
【０１３６】
また、増幅回路１１・１２における可変負荷２４は、自身の抵抗値Ｒ２４を複数種類（ｎ種類）の値ｒ１〜ｒｎに切り替えられる可変抵抗であり、逆相アンプ２３と左負端子Ｈ（および右負端子Ｊ）との間に配置されている。
負荷セレクタ２５は、制御器１４の指示により、可変負荷２４の抵抗値Ｒ２４を設定（選択）するものである。
【０１３７】
ＡＤ変換器１３（第１検出部，第２検出部）は、左正端子Ｇと左負端子Ｈとの間の電圧値（Ｇ−Ｈ電圧値）、あるいは、右正端子Ｉと右負端子Ｊとの間の電圧値（Ｉ−Ｊ電圧値）を測定し、測定値をデジタル値に変換するものである。
すなわち、ＡＤ変換器１３は、左正端子Ｇと左負端子Ｈと（右正端子Ｉと右負端子Ｊと）の電位差を算出して、デジタル値に変換する機能を有している。
【０１３８】
制御器（制御部）１４は、本アンプ装置の全ての処理を制御する、本アンプ装置の中枢部である。
この制御器１４は、本アンプ装置の図示しない制御盤に与えられるユーザーの指示に応じて、アンプ２２・２３のゲインを設定する。
さらに制御器１４は、本アンプ装置に３端子型ヘッドホンが適用されたときに、クロストークを防止するために、負端子Ｈ・Ｊの電圧値を０に制御する機能を有している。
【０１３９】
すなわち、制御器１４は、ヘッドホンのプラグが本アンプ装置のジャックに挿入されたときに、そのヘッドホンが３端子であるのか、あるいは４端子であるのか、を検知する。
【０１４０】
この検知は、負端子Ｈ・Ｊ間が接続されたか否かを検出することによって成される。具体的には、制御器１４は、Ｈ−Ｊ間（あるいはＧ−Ｉ間）の抵抗値を測定し、０Ωであれば３端子と判断する一方、０Ωでない場合には４端子と判断する。
【０１４１】
ここで、３端子のヘッドホンを本アンプ装置に適用した場合、本アンプ装置の負端子Ｈ・Ｊが、ヘッドホンの接地端子Ｅを介して接続される。
従って、一方のチャネルの負端子Ｈ（あるいはＪ）の信号が、他方のチャネルの負端子Ｊ（あるいはＨ）に流れ込むことになり、クロストークが生じてしまう。
【０１４２】
このため、本アンプ装置では、制御器１４が、３端子型ヘッドホンの適用時に、負端子Ｈ・Ｊの電圧値を０に設定するようになっている。
そして、本アンプ装置では、負端子Ｈ・Ｊの電圧値を０に設定するために、可変負荷２４の抵抗値Ｒ２４を、ヘッドホンにおけるボイスコイルの抵抗Ｒ１・Ｒ２と同一の値とするようになっている。
【０１４３】
すなわち、負端子Ｈ・Ｊには、ボイスコイルを経た正相信号と、可変負荷２４を介した逆相信号とが入力される。従って、可変負荷２４と抵抗Ｒ１・Ｒ２とを等しくすれば、振幅の等しい逆位相の２つの信号が負端子Ｈ・Ｊを入力できるため、負端子Ｈ・Ｊの電圧値を０とすることが可能となる。
【０１４４】
次に、本アンプ装置のジャックにヘッドホンのプラグを挿入した際の、制御器１４の制御による本アンプ装置の初期動作について説明する。
図２は、この動作の流れを示すフローチャートである。
【０１４５】
この図に示すように、ヘッドホンのプラグが本アンプ装置のジャックに差し込まれた場合、制御器１４は、ヘッドホンが３端子であるか、あるいは４端子であるかを判断する（Ｓ１）。
なお、この判断は、上記したように、負端子Ｈ・Ｊ間がヘッドホンによって接続されたか否かを判断することによって成される。
【０１４６】
そして、４端子であると判断した場合、制御器１４は、増幅回路１１・１２の入力セレクタ２１を、アンプ２２・２３に通常信号を出力するよう設定する（Ｓ１２）。その後、制御器１４は、入力セレクタ２１を制御して、可変負荷２４の抵抗値Ｒ２４を０（信号線と同様の値）に設定する。そして、アンプ２２・２３のゲインをユーザーの指示に応じた値に設定して（Ｓ１３）、処理を終了する。
【０１４７】
一方、３端子であると判断した場合、制御器１４は、まず、アンプ２２・２３のゲインを１に設定する（Ｓ２）。
そして、増幅回路１１・１２の入力セレクタ２１に対してセレクト信号を伝達し、アンプ２２・２３に負荷調整信号を出力するように指示する。
このセレクト信号を受け、入力セレクタ２１は、アンプ２２・２３に負荷調整信号を出力する（Ｓ３）。
【０１４８】
ここで、負荷調整信号は、左右両チャネルの信号が同一（周波数および振幅が同一）となっている音声信号であり、人の耳に聞こえない周波数（または振幅）を有する信号（可聴範囲から外れた周波数または振幅を有する信号）である。
また、制御器１４は、この負荷調整信号の振幅値（デジタルの電圧値）を、内蔵しているメモリ（図示せず）に記憶している。
【０１４９】
次に、制御器１４は、ＡＤ変換器１３を制御して、左チャネル増幅回路１１のＧ−Ｈ電圧値を測定させ、そのデジタル値を生成させる（Ｓ４）。
その後、制御器１４は、記憶している負荷調整信号の振幅値（基準値）と、ＡＤ変換器１３によって生成されたＧ−Ｈ電圧値とを比較し、これらが互いに等しいか否かを調べる（Ｓ５）。
【０１５０】
そして、Ｇ−Ｈ電圧値が基準値と異なると判断した場合、制御器１４は、測定されたＧ−Ｈ電圧値を基準値と等しくできるような可変負荷２４の値を算出する（Ｓ６）。
ここで、上記したように、Ｇ−Ｈ電圧値と基準値とが等しいということは、すなわち、左負端子Ｈの電位が０であることを意味する。そして、これらを等しくするような可変負荷２４の抵抗値とは、ヘッドホンにおけるボイスコイルの抵抗Ｒ１と同一の値である。
【０１５１】
その後、制御器１４は、負荷セレクタ２５を制御して、可変負荷２４の抵抗値Ｒ２４を、算出した抵抗値に切り替えさせ（Ｓ７）、Ｓ３に戻って、新たに測定されたＧ−Ｈ電圧値が基準値と等しいか否かを再度調べる（Ｓ４・Ｓ５）。
【０１５２】
そして、Ｇ−Ｈ電圧値が基準値と等しいと判断した場合、制御器１４は、ＡＤ変換器１３を制御して、右チャネル増幅回路１２のＩ−Ｊ電圧値を測定させ、そのデジタル値を生成させる（Ｓ８）。そして、Ｓ４〜Ｓ７と同様に、Ｉ−Ｊ電圧値のデジタル値が基準値と等しくなるように、可変負荷２４の抵抗値Ｒ２４を設定し（Ｓ９〜Ｓ１１）、右負端子Ｊの電圧値を０とする。
【０１５３】
そして、Ｇ−Ｈ電圧値，Ｉ−Ｊ電圧値の双方を基準値と等しくするような可変負荷２４の抵抗値Ｒ２４を設定した後、制御器１４は、入力セレクタ２１に対してセレクト信号を出力し、入力セレクタ２１を、アンプ２２・２３に通常信号を出力するよう設定する（Ｓ１２）。
その後、制御器１４は、アンプ２２・２３のゲインを、ユーザーの指示に応じた値に設定して（Ｓ１３）、処理を終了する。
【０１５４】
図３（ａ）〜（ｆ）は、Ｇ−Ｈ電圧値，Ｉ−Ｊ電圧値の双方を負荷調整信号の電圧値と等しくした場合（増幅回路１１・１２の可変負荷２４の抵抗値Ｒ２４を、ヘッドホンのボイスコイル抵抗値Ｒ１・Ｒ２と等しくした場合）における、本アンプ装置（増幅回路１１・１２）の各部位における信号波形の例を示すグラフである（増幅回路１１・１２への入力は通常信号）。
ここで、図３（ａ）は左正端子Ｇ、図３（ｂ）は左負端子Ｈ、図３（ｃ）は左チャネル増幅回路１１における逆相アンプ２３と可変負荷２４との間での信号振幅である。
また、図３（ｄ）は右正端子Ｉ、図３（ｅ）は右負端子Ｊ，図３（ｆ）は右チャネル増幅回路１２における逆相アンプ２３と可変負荷２４との間での信号振幅である。
【０１５５】
図３（ｂ）（ｅ）に示すように、本アンプ装置では、上記のようにＧ−Ｈ電圧値，Ｉ−Ｊ電圧値の双方を負荷調整信号と等しくすることにより、負端子Ｈ・Ｊの信号振幅を０とできるようになっている。
【０１５６】
また、図４（ａ）〜（ｆ）は、Ｉ−Ｊ電圧値を負荷調整信号の振幅値と等しくする一方、Ｇ−Ｈ電圧値を負荷調整信号の振幅値と異なる値とした場合（右チャネル増幅回路１２の可変負荷２４の抵抗値Ｒ２４を抵抗値Ｒ２と等しくする一方、左チャネル増幅回路１１の可変負荷２４の抵抗値Ｒ２４を抵抗値Ｒ１と異ならせた場合）における、増幅回路１１・１２の各部位における信号波形の例を示すグラフである。
【０１５７】
図３（ａ）〜（ｆ）と同様、これらの図４（ａ）〜（ｆ）は、この順に、左正端子Ｇ、左負端子Ｈ，左チャネル増幅回路１１における逆相アンプ２３と可変負荷２４との間，右正端子Ｉ、右負端子Ｊ，右チャネル増幅回路１２における逆相アンプ２３と可変負荷２４との間での信号振幅である。
【０１５８】
図４（ｂ）に示すように、Ｇ−Ｈ電圧値と負荷調整信号とが異なる場合、左負端子Ｈに信号が残ってしまう。このため、本アンプ装置に３端子型ヘッドホンを用いた場合、残存信号が右負端子Ｊを介してヘッドホンの右チャネルに流れて、クロストークの原因となる。
【０１５９】
以上のように、本アンプ装置では、左チャネル増幅回路１１・右チャネル増幅回路１２の負端子Ｈ・Ｊ間が互いに接続（短絡）された場合、制御器１４が、負端子Ｈ・Ｊの電圧値を０とするように設定されている。
【０１６０】
これにより、本アンプ装置では、接続された負端子Ｈ・Ｊ間での信号伝達、すなわち、左右のチャネル間での信号伝達が、実質的に行われない。従って、３端子型ヘッドホンを適用した場合でも、クロストークの発生を回避することが可能となっている。
【０１６１】
また、本アンプ装置では、左右チャネルの増幅回路１１・１２における逆相アンプ２３と負端子Ｈ・Ｊとの間に、可変負荷２４を配している。
そして、左右チャネルの負端子Ｈ・Ｊ間が接続されたときに、制御器１４が、各増幅回路１１・１２の可変負荷２４の抵抗値Ｒ２４を、ヘッドホンのボイスコイルの抵抗値Ｒ１・Ｒ２と等しい値に調整するようになっている。
【０１６２】
この構成では、負端子Ｈ・Ｊの電圧値は、可変負荷２４を経た逆相アンプ２３からの信号振幅と、ヘッドホンを経た正相アンプ２２からの信号振幅との和となる。
従って、両増幅回路１１・１２のそれぞれに関し、可変負荷２４の抵抗値Ｒ２４をボイスコイルの抵抗値Ｒ１・Ｒ２と等しくすることで、振幅の絶対値が等しく符号の異なる２つの信号を負端子Ｈ・Ｊに供給できる。このため、負端子Ｈ・Ｊの電圧値を容易に０とできる。
【０１６３】
本アンプ装置は、各増幅回路１１・１２の正端子Ｇ・Ｉと負端子Ｈ・Ｊとの間の電位差を検出するＡＤ変換器１３を備えている。
そして、３端子型ヘッドホンが適用された場合、制御器１４が、ＡＤ変換器１３の検出した電位差と、正端子Ｇ・Ｉに出力されていると考えられる信号の電圧値（負荷調整信号の振幅値）とを等しくするように、各増幅回路１１・１２の可変負荷２４の抵抗値Ｒ２４を調整するようになっている（これらの電位差と電圧値（振幅値）とが等しいときには、負端子Ｈ・Ｊの電圧値は必ず０である）。
これにより、可変負荷２４の適切な抵抗値Ｒ２４を容易に決定できる。
【０１６４】
なお、本アンプ装置では、３端子型ヘッドホンが適用されたときに、クロストークを防止するために、負端子Ｈ・Ｊの電圧値を０に設定するとしている。ここで、『負端子Ｈ・Ｊの電圧値を０とする』とは、３端子型ヘッドホンの使用によって発生するクロストークをヘッドホンのユーザーに知覚できないほど小さくする（可聴範囲外にする）ような値に、負端子Ｈ・Ｊの電圧値を設定するということであるといえる。
【０１６５】
以下の式は、音の周波数Ｆ（Ｈｚ）と、その最小可聴限Ｌｍｉｎ（録音レベル（ｄＢ））との関係を示す式である。また、図９は、この関係を示すグラフである（周波数方向の軸は対数表示）。
【０１６６】
【数１】
2004266807.tif 000003
【０１６７】
この最小可聴限の式に、可聴周波数範囲２０〜２００００Ｈｚの周波数をあてはめると、最小可聴限Ｌｍｉｎは、４０００Ｈｚで最小値（約−１００ｄＢ）となる。すなわち、人に聞こえるもっとも小さい音は、−１００ｄＢの４０００Ｈｚの音であるということとなる。
すなわち、『負端子Ｈ・Ｊの電圧値を０とする』とは、負端子Ｈ・Ｊの電圧値を、アンプ２２から出力される正相信号の電圧値の−１００ｄＢ以下、すなわち、１００／２１６％以下とすることであり、これにより、実質的に、クロストークをユーザーの可聴範囲外とすることが可能である。
【０１６８】
また、同様に、『ヘッドホンのボイスコイルの抵抗値Ｒ１・Ｒ２と、可変負荷２４の抵抗値Ｒ２４とを等しくする』とは、負端子Ｈ・Ｊの電圧値を正相信号の電圧値の−１００ｄＢ（１００／２１６％）以下とする程度に、抵抗値Ｒ１・Ｒ２と可変負荷２４の抵抗値とを近づけることである。
【０１６９】
また、本実施の形態では、負端子Ｈ・Ｊの電圧値を０とするために、逆相アンプ２３と左負端子Ｈ（および右負端子Ｊ）との間に、可変負荷２４（第１可変負荷）を配置するとしている。しかしながら、可変負荷２４と同様の機能を有する可変負荷２４ａ（第２可変負荷）を、正端子Ｇ・Ｉと負端子Ｈ・Ｊとの間に配するようにしてもよい。この場合、逆相アンプ２３と負端子Ｈ・Ｊとの間に可変負荷２４の代わりに負荷（抵抗）ｒａ（主固定負荷）を配することが好ましい。
【０１７０】
図１０は、このような構成の本アンプ装置を示す説明図である。
この図に示す本アンプ装置では、正端子Ｇ・Ｉと負端子Ｈ・Ｊとの間に可変負荷２４ａおよび負荷セレクタ２５ａを備えている。この構成では、正端子Ｇ・Ｉと負端子Ｈ・Ｊとの間の抵抗値は、ヘッドホンのボイスコイルの抵抗値Ｒ１・Ｒ２と、可変負荷２４ａの抵抗値Ｒ２４ａとの並列合成抵抗値Ｒ１×Ｒ２４ａ／（Ｒ１＋Ｒ２４ａ）・Ｒ２×Ｒ２４ａ／（Ｒ２＋Ｒ２４ａ）となる。
そして、左右チャネルの負端子Ｈ・Ｊ間が接続されたときに、制御器１４が、上記の合成抵抗値Ｒ１×Ｒ２４ａ／（Ｒ１＋Ｒ２４ａ）・Ｒ２×Ｒ２４ａ／（Ｒ２＋Ｒ２４ａ）（正端子Ｇ・Ｉと負端子Ｈ・Ｉとの間の抵抗値）と、負荷ｒａの抵抗値Ｒａ（逆相アンプ２３と負端子Ｈ・Ｊとの間の抵抗値）とを等しい値にするように、各増幅回路１１・１２の可変負荷２４ａの抵抗値Ｒ２４ａを調整する。
【０１７１】
この構成では、負端子Ｈ・Ｊの電圧値は、可変負荷２４ａとヘッドホンとを経た正相アンプ２２からの信号振幅と、負荷ｒａを経た逆相アンプ２３からの信号振幅との和となる。
従って、両増幅回路１１・１２のそれぞれに関し、上記の合成抵抗値Ｒ１×Ｒ２４ａ／（Ｒ１＋Ｒ２４ａ）・Ｒ２×Ｒ２４ａ／（Ｒ２＋Ｒ２４ａ）を負荷ｒａの抵抗値Ｒａと等しくすることで、振幅の絶対値が等しく符号の異なる２つの信号を負端子Ｈ・Ｊに供給できる。このため、負端子Ｈ・Ｊの電圧値を容易に０とできる。
【０１７２】
また、本アンプ装置では、負端子Ｈ・Ｊの電圧値を０とするために、可変負荷２４あるいは可変負荷２４ａを用いるとしている。しかしながら、接続されるヘッドホンのボイスコイルの抵抗値Ｒ１・Ｒ２がわかっている場合には、このような可変負荷を用いる必要はない。
【０１７３】
図１１は、可変負荷を用いない構成の本アンプ装置を示す説明図である。
この図に示す本アンプ装置は、図１０に示した構成において、可変負荷２４ａに代えて、スイッチＳＷ２（第２スイッチ）および負荷（抵抗）ｒｂ（第２固定負荷）を直列に備え、さらに、負荷ｒａと負端子Ｈ・Ｊとの間にスイッチＳＷ１（第１スイッチ）および負荷（抵抗）ｒｃ（第１固定負荷）を並列に配した構成である。なお、スイッチＳＷ１および負荷ｒｃは、逆相アンプ２３と負荷ｒａとの間に並列に配してもよい。
【０１７４】
この図に示す本アンプ装置では、スイッチＳＷ２が閉じている場合、正端子Ｇ・Ｉと負端子Ｈ・Ｊとの間の抵抗値は、ヘッドホンのボイスコイルの抵抗値Ｒ１・Ｒ２と、負荷ｒｂの抵抗値Ｒｂとの並列合成抵抗値Ｒ１×Ｒｂ／（Ｒ１＋Ｒｂ）・Ｒ２×Ｒｂ／（Ｒ２＋Ｒｂ）となる。また、スイッチＳＷ１が開いている場合、逆相アンプ２３と負端子Ｈ・Ｊとの間の抵抗値は、負荷ｒａの抵抗値Ｒａと負荷ｒｃの抵抗値Ｒｃとを加算した値Ｒａ＋Ｒｃとなる。
また、この図に示す本アンプ装置では、両増幅回路１１・１２に備えられる各負荷（ｒａ,ｒｂ,ｒｃ）は、既知のヘッドホンのボイスコイルの抵抗値Ｒ１・Ｒ２および負荷ｒｂの並列合成抵抗値Ｒ１×Ｒｂ／（Ｒ１＋Ｒｂ）・Ｒ２×Ｒｂ／（Ｒ２＋Ｒｂ）が、負荷ｒａの抵抗値Ｒａおよび負荷ｒｃの抵抗値Ｒｃを加算した値Ｒａ＋Ｒｃと等しくなるように備えられている。
【０１７５】
そして、この図に示す本アンプ装置では、左右チャネルの負端子Ｈ・Ｊ間が接続されたときに、制御器１４が、スイッチＳＷ２を閉じ、スイッチＳＷ２を開くようになっている。これにより、正端子Ｇ・Ｉと負端子Ｈ・Ｊとの間の抵抗値（上記の合成抵抗値Ｒ１×Ｒｂ／（Ｒ１＋Ｒｂ）・Ｒ２×Ｒｂ／（Ｒ２＋Ｒｂ））と、逆相アンプ２３と負端子Ｈ・Ｊとの間の抵抗値（Ｒａ＋Ｒｃ）とが等しくなる。
【０１７６】
また、この構成では、負端子Ｈ・Ｊの電圧値は、ヘッドホンと負荷ｒｂとを経た正相アンプ２２からの信号振幅と、負荷ｒａと負荷ｒｃとを経た逆相アンプ２３からの信号振幅との和となる。
従って、両増幅回路１１・１２のそれぞれに関し、スイッチＳＷ２を閉じ、スイッチＳＷ１を開くことで、振幅の絶対値が等しく符号の異なる２つの信号を負端子Ｈ・Ｊに供給できる。このため、負端子Ｈ・Ｊの電圧値を容易に０とできる。
【０１７７】
なお、図１１の構成では、スイッチＳＷ１およびスイッチＳＷ２の接続状態（開閉）の切り替えは、制御器１４が、ＡＤ変換機１３の検出したＧ−Ｈ電圧値に基づいて行うが、これに限るものではない。例えば、ユーザーが図示しない制御盤に対してメニュー操作等を行うことにより、ヘッドホンを接続する場合と、スピーカ等の外部機器に接続する場合とで、回路の接続状態を切り替えられるようにしてもよい。
【０１７８】
また、接続されるヘッドホンのボイスコイルの抵抗値Ｒ１・Ｒ２が既知の場合には、図１に示した本アンプ装置の構成において、可変負荷２４に代えて、逆相アンプ２３と負端子Ｈ・Ｊの間に、スイッチＳＷ１と負荷ｒｃとを並列に備える構成としてもよい。この場合、負荷ｒｃの抵抗値Ｒｃは、既知のヘッドホンのボイスコイルの抵抗値Ｒ１・Ｒ２と等しく設定される。
そして、制御部１４は、スイッチＳＷ１を開くことにより、正端子Ｇ・Ｉと負端子Ｈ・Ｊの間の抵抗値（Ｒ１・Ｒ２）と、逆相アンプ２３と負端子Ｈ・Ｊの間の抵抗値（Ｒｃ）とを等しくできる。これにより、振幅の絶対値が等しく符号の異なる２つの信号を負端子Ｈ・Ｊに供給でき、負端子Ｈ・Ｊの電圧値を容易に０とできる。
【０１７９】
また、接続されるヘッドホンのボイスコイルの抵抗値Ｒ１・Ｒ２が既知の場合には、図１０に示した構成において、可変負荷２４ａに代えて、正端子Ｇ・Ｉと負端子Ｈ・Ｊの間に、スイッチＳＷ２と負荷ｒｂとを直列に備える構成としてもよい。この場合、負荷ｒｂの抵抗値Ｒｂは、既知のヘッドホンのボイスコイルの抵抗値Ｒ１・Ｒ２と負荷ｒｂの抵抗値Ｒｂとの並列合成抵抗値Ｒ１×Ｒｂ／（Ｒ１＋Ｒｂ）・Ｒ２×Ｒｂ／（Ｒ２＋Ｒｂ）が、逆相アンプ２３と負端子Ｈ・Ｊの間に備えられている負荷ｒａの抵抗値Ｒａと等しくなるように設定される。
そして、制御部１４は、スイッチＳＷ２を閉じることにより、正端子Ｇ・Ｉと負端子Ｈ・Ｊの間の抵抗値（Ｒ１×Ｒｂ／（Ｒ１＋Ｒｂ）・Ｒ２×Ｒｂ／（Ｒ２＋Ｒｂ））と、逆相アンプ２３と負端子Ｈ・Ｊの間の抵抗値（Ｒａ）とを等しくできる。これにより、振幅の絶対値が等しく符号の異なる２つの信号を負端子Ｈ・Ｊに供給でき、負端子Ｈ・Ｊの電圧値を容易に０とできる。
【０１８０】
また、図１１に示した構成において、負荷ｒａ,負荷ｒｃ,スイッチＳＷ１に代えて、逆相アンプ２３と負端子Ｈ・Ｊとの間に、可変負荷２４を配するようにしてもよい。
図１２は、このような構成の本アンプ装置を示す説明図である。この図に示す本アンプ装置では、逆相アンプ２３と負端子Ｈ・Ｊとの間に、可変負荷２４および負荷セレクタ２５を備えている。
【０１８１】
この図に示す本アンプ装置では、スイッチＳＷ２が閉じている場合、正端子Ｇ・Ｉと負端子Ｈ・Ｊとの間の抵抗値は、ヘッドホンのボイスコイルの抵抗値Ｒ１・Ｒ２と、負荷ｒｂの抵抗値Ｒｂとの並列合成抵抗値Ｒ１×Ｒｂ／（Ｒ１＋Ｒｂ）・Ｒ２×Ｒｂ／（Ｒ２＋Ｒｂ）となる。
そして、左右チャネルの負端子Ｈ・Ｊ間が接続されたときに、制御器１４が、スイッチＳＷ２を閉じ、さらに、各増幅回路１１・１２の可変負荷２４の抵抗値Ｒ２４を、上記の合成抵抗値Ｒ１×Ｒｂ／（Ｒ１＋Ｒｂ）・Ｒ２×Ｒｂ／（Ｒ２＋Ｒｂ）と等しくするように、調整する。
【０１８２】
この構成では、負端子Ｈ・Ｊの電圧値は、ヘッドホンと負荷ｒｂとを経た正相アンプ２２からの信号振幅と、可変負荷２４を経た逆相アンプ２３からの信号振幅との和となる。
従って、両増幅回路１１・１２のそれぞれに関し、可変負荷２４の抵抗値Ｒ２４を、上記の合成抵抗値Ｒ１×Ｒｂ／（Ｒ１＋Ｒｂ）・Ｒ２×Ｒｂ／（Ｒ２＋Ｒｂ）と等しくすることで、振幅の絶対値が等しく符号の異なる２つの信号を負端子Ｈ・Ｊに供給できる。このため、負端子Ｈ・Ｊの電圧値を容易に０とできる。
【０１８３】
なお、図１２に示す本アンプ装置では、正端子Ｇ・Ｉと負端子Ｈ・Ｊとの間に、ヘッドホンと負荷ｒｂとが並列に接続されるため、正端子Ｇ・Ｉと負端子Ｈ・Ｊとの間がヘッドホンのみを介して接続される構成に比べて、ヘッドホンのボイスコイルの抵抗値Ｒ１・Ｒ２が異なる複数種類のヘッドホンが接続される場合の、正端子Ｇ・Ｉと負端子Ｈ・Ｊとの間の抵抗値Ｒ１×Ｒｂ／（Ｒ１＋Ｒｂ）・Ｒ２×Ｒｂ／（Ｒ２＋Ｒｂ）の変化量が小さい。
このため、逆相アンプ２３と負端子Ｈ・Ｊとの間の抵抗値（Ｒ２４）を、正端子Ｇ・Ｉと負端子Ｈ・Ｊと間の抵抗値（Ｒ１×Ｒｂ／（Ｒ１＋Ｒｂ）・Ｒ２×Ｒｂ／（Ｒ２＋Ｒｂ））と等しくするために、制御器１４が、可変負荷２４の抵抗値Ｒ２４を変化させる範囲が小さくなる。したがって、負端子Ｈ・Ｊの電圧値を０とすることが容易になる。
【０１８４】
また、図１２に示した構成において、スイッチＳＷ２および負荷ｒｂに代えて、正端子Ｇ・Ｉと負端子Ｈ・Ｊとの間に、可変負荷２４ａを配するようにしてもよい（図示せず）。すなわち、両増幅回路の正端子Ｇ・Ｉと負端子Ｈ・Ｊとの間、および、逆相アンプ２３と負端子Ｈ・Ｊとの間の双方に、可変負荷を配する構成としてもよい。
【０１８５】
この構成では、左右チャネルの負端子Ｈ・Ｊ間が接続されたときに、制御器１４が、正端子Ｇ・Ｉと負端子Ｈ・Ｊの間の抵抗値（Ｒ１×Ｒ２４ａ／（Ｒ１＋Ｒ２４）・Ｒ２×Ｒ２４ａ／（Ｒ２＋Ｒ２４））と、逆相アンプ２３と負端子Ｈ・Ｊの間の抵抗値（Ｒ２４）とを等しくするように、可変負荷２４および可変負荷２４ａの抵抗値（Ｒ２４およびＲ２４ａ）を調整することで、負端子Ｈ・Ｊの電圧値を容易に０とできる。
【０１８６】
また、本実施の形態では、負端子Ｈ・Ｊの電圧値を０とすることにより、実質的に、クロストークをユーザーの可聴範囲外とするとしているが、必ずしも負端子Ｈ・Ｊの電圧値を０とする必要はない。
すなわち、負端子Ｈ・Ｊの電圧値をある程度まで０に近づけることで、クロストークを実用上問題がない程度に低減できればよい。
したがって、本アンプ装置を、図１のような構成とする場合には、制御器１４は、各増幅回路に備えられた可変負荷２４の抵抗値Ｒ２４を、正端子Ｇ・Ｉと負端子Ｈ・Ｊの間の抵抗値（Ｒ１・Ｒ２）に近づけるように調整することで、負端子Ｈ・Ｊの電圧値を０に近づけるものであってもよい。
【０１８７】
また、本アンプ装置を、図１０のような構成とする場合には、制御部１４が、可変負荷２４ａの抵抗値Ｒ２４ａを、正端子Ｇ・Ｉと負端子Ｈ・Ｊの間の抵抗値（Ｒ１×Ｒ２４ａ／（Ｒ１＋Ｒ２４ａ）・Ｒ２×Ｒ２４ａ／（Ｒ２＋Ｒ２４ａ））と、逆相アンプ２３と負端子Ｈ・Ｊの間の抵抗値（Ｒａ）とを近づけるように調整することで、両増幅回路における負端子の電圧値を０に近づけるものであってもよい。
【０１８８】
また、本アンプ装置を、図１１のような構成とする場合には、制御部１４が、ＳＷ２を閉じ、ＳＷ１を開くことによって、正端子Ｇ・Ｉと負端子Ｈ・Ｊの間の抵抗値（Ｒ１×Ｒｂ／（Ｒ１＋Ｒｂ）・Ｒ２×Ｒｂ／（Ｒ２＋Ｒｂ））と、逆相アンプ２３と負端子Ｈ・Ｊの間の抵抗値（Ｒａ＋Ｒｃ）とを近づけ、両増幅回路における負端子の電圧値を０に近づけるものであってもよい。
【０１８９】
また、本実施の形態では、本アンプ装置に、ヘッドホンを適用する場合について説明している。しかしながら、本アンプ装置においてクロストークの発生を回避できる外部機器は、ヘッドホンに限らない。本アンプ装置のジャックに接続される外部機器であれば、通常のスピーカや録音装置など、どのような機器であっても、クロストークの発生を回避できる。なお、本アンプ装置は、ライン出力して次段が接地端子共通のアンプ等に接続する場合でも、クロストークの発生を回避することが可能である。
【０１９０】
一般に、アンプの場合、入力インピーダンスは１０ｋΩ〜４７ｋΩである。このように、外部機器の入力インピーダンス（抵抗値）にバラツキがある場合でも、可変負荷２４あるいは可変負荷２４ａを備える構成の本アンプ装置では、クロストークを容易に低減できる。すなわち、制御部１４が、このような可変負荷の抵抗値を、正端子Ｇ・Ｉと負端子Ｈ・Ｊの間の抵抗値と、逆相アンプ２３と負端子Ｈ・Ｊの間の抵抗値とを近づけるように調節することにより、負端子Ｈ・Ｊの電圧値を容易に０に近づけることができる。なお、上記の説明では、本アンプ装置に接続される外部機器のヘッドホンの左右チャネルのボイスコイルの抵抗値をＲ１・Ｒ２として説明しているが、以下の説明では、アンプ等を接続する場合には、接続する外部機器の左右チャネルにおける入力インピーダンスをＲ１・Ｒ２として説明する。
【０１９１】
また、図１１に示したような、可変負荷を備えない構成の本アンプ装置でも、負荷ｒａ,ｒｂ,ｒｃの抵抗値Ｒａ,Ｒｂ,Ｒｃを、本アンプ装置に接続される外部機器の抵抗値Ｒ１・Ｒ２と負荷ｒｂの抵抗値Ｒｂとの並列合成抵抗値Ｒ１×Ｒｂ／（Ｒ１＋Ｒｂ）・Ｒ２×Ｒｂ／（Ｒ２＋Ｒｂ）と、負荷ｒａと負荷ｒｃとの抵抗値の和Ｒａ＋Ｒｂとの差が小さくなるように設定しておくことにより、負端子Ｈ・Ｊの電圧値を０に近づけることができる。
例えば、入力インピーダンスが１０ｋΩ〜４７ｋΩの外部機器に対して、クロストークを防止するために、負荷ｒｂの抵抗値Ｒｂを２２０Ω、負荷ｒａの抵抗値Ｒａを１５Ω、負荷ｒｃの抵抗値Ｒｃを２０５Ωする。
【０１９２】
このような構成の本アンプ装置に対して、１０ｋΩ〜４７ｋΩの入力インピーダンスを有するアンプを接続した場合、制御器１４は、ＳＷ２を閉じ、ＳＷ１を開く。
これにより、正端子Ｇ・Ｉと負端子Ｈ・Ｊとの間の抵抗値は、アンプ入力インピーダンスと負荷ｒｂとの並列合成抵抗値（Ｒ１×Ｒｂ／（Ｒ１＋Ｒｂ）・Ｒ２×Ｒｂ／（Ｒ２＋Ｒｂ））となり、下式（２）、（３）より、約２１５〜２１９Ωとなる。
Ｒ１・Ｒ２＝１０ｋΩのとき
１００００×２２０／（１００００＋２２０）≒２１５      （２）
Ｒ１・Ｒ２＝４７ｋΩのとき
４７０００×２２０／（４７０００＋２２０）≒２１９      （３）
したがって、正端子Ｇ・Ｉと負端子Ｈ・Ｊとの間の並列合成抵抗値（Ｒ１×Ｒｂ／（Ｒ１＋Ｒｂ）・Ｒ２×Ｒｂ／（Ｒ２＋Ｒｂ））は、逆相アンプ２３と負端子Ｈ・Ｊとの間の抵抗値（Ｒａ＋Ｒｃ）とほぼ等しい抵抗値とみなせる。
なお、外部機器の入力インピーダンスが１０ｋΩ〜４７ｋΩの場合、逆相アンプ２３と負端子Ｈ・Ｊとの間の抵抗値（Ｒ１×Ｒｂ／（Ｒ１＋Ｒｂ）・Ｒ２×Ｒｂ／（Ｒ２＋Ｒｂ））と、正端子Ｇ・Ｉと負端子Ｈ・Ｊとの間の抵抗値（Ｒａ＋Ｒｃ）との差が±５Ω以内であれば、実用上問題となるようなクロストークは発生しない。したがって、逆相アンプ２３と負端子Ｈ・Ｊとの間の抵抗値（Ｒ１×Ｒｂ／（Ｒ１＋Ｒｂ）・Ｒ２×Ｒｂ／（Ｒ２＋Ｒｂ））と、正端子Ｇ・Ｉと負端子Ｈ・Ｊとの間の抵抗値（Ｒａ＋Ｒｃ）との差が±５Ω以内であれば、正端子Ｇ・Ｉと負端子Ｈ・Ｊとの間の並列合成抵抗値は、逆相アンプ２３と負端子Ｈ・Ｊとの間の抵抗値とほぼ等しい抵抗値であるとみなすことができる。
【０１９３】
図１３（ａ）〜（ｆ）は、３端子型外部機器（入力インピーダンス１０ｋΩ〜４７ｋΩ）を接続し、スイッチＳＷ２を閉じ、スイッチＳＷ１を開いた場合の、各部位における信号波形のグラフを示している。
なお、これらの図では、逆相アンプ２３と負端子Ｈ・Ｊとの間の抵抗値（Ｒ１×Ｒｂ／（Ｒ１＋Ｒｂ）・Ｒ２×Ｒｂ／（Ｒ２＋Ｒｂ））と、正端子Ｇ・Ｉと負端子Ｈ・Ｊとの間の抵抗値（Ｒａ＋Ｒｃ）との差が等しい場合を示している。しかしながら、両者の差は、実用上問題とならない程度に小さい値であればよい。
【０１９４】
図１３（ａ）は左正端子Ｇ、図１３（ｂ）は左負端子Ｈ、図１３（ｃ）は左チャネル増幅回路１１における逆相アンプ２３の出力部、での信号振幅である。なお、逆相アンプ２３の出力部での信号振幅とは、逆相アンプ２３の出力（逆相アンプ２３からの出力信号）における信号振幅である。
また、図１３（ｄ）は右正端子Ｉ、図１３（ｅ）は右負端子Ｊ、図１３（ｆ）は右チャネル増幅回路１２における逆相アンプ２３の出力部、での信号振幅である。なお、図１３（ｄ）〜（ｅ）は、右チャネル増幅回路１２の信号が無信号（振幅０）の場合を示している。
【０１９５】
図１３（ａ）および（ｃ）に示されているように、左正端子Ｇにおける信号振幅と、左チャネル増幅回路１１における逆相アンプ２３の出力部での信号振幅とは、振幅の絶対値が等しく、逆位相の信号振幅となっている。
例えば、図１３（ａ）および（ｃ）におけるｘ点では、基準電位１に対して、正端子Ｇの電位が２であり、左チャネル増幅回路１１における逆相アンプ２３の出力部との間の電位が０である。
【０１９６】
また、図１１の構成では、負端子Ｈの電圧値は、外部機器および負荷ｒｂを経た正相アンプ２２からの信号振幅と、負荷ｒａと負荷ｒｃとを経た逆相アンプ２３からの信号振幅との和となる。このため、負端子Ｈにおける信号の電位は下式（４）のように求められ、基準電位１と等しくなる。
【０１９７】
（２（Ｌ＋信号）＋０（Ｌ−信号））／２＝１        （４）
また、図１３（ａ）および（ｃ）におけるｙ点では、正端子Ｇの電位、および、左チャネル増幅回路１１における逆相アンプ２３の出力部との間の電位がともに基準電位１と等しい。従って、負端子Ｈにおける電位は下式（５）のように求められ、常に基準電位１と等しくなる。
【０１９８】
（１（Ｌ＋信号）＋１（Ｌ−信号））／２＝１        （５）
同様に、負端子Ｊにおける電位も、常に基準電位１となる。例えば、図１３（ｄ）および（ｆ）におけるｚ点では、正端子Ｉの電位、および、左チャネル増幅回路１１における逆相アンプ２３の出力部との間の電位がともに基準電位１と等しい。
【０１９９】
また、図１１の構成では、負端子Ｊの電圧値は、外部機器および負荷ｒｂを経た正相アンプ２２からの信号振幅と、負荷ｒａと負荷ｒｃとを経た逆相アンプ２３からの信号振幅との和となる。このため、負端子Ｊにおける電位は下式（６）のように求められ、基準電位１と等しくなる。
【０２００】
（１（Ｒ＋信号）＋１（Ｒ−信号））／２＝１        （６）
従って、両増幅回路１１・１２のそれぞれに関し、スイッチＳＷ２を閉じ、スイッチＳＷ１を開くことで、振幅の絶対値がほぼ等しく符号の異なる２つの信号を負端子Ｈ・Ｊに供給でき、負端子Ｈ・Ｊ間における電位は、双方とも常に基準電位１となる。すなわち、負端子Ｈ・Ｊ間の電位差は常に０となり、負端子Ｈ・Ｊ間には、実質的に信号が流れない。
なお、逆相アンプ２３と負端子Ｈ・Ｊとの間の抵抗値（Ｒ１×Ｒｂ／（Ｒ１＋Ｒｂ）・Ｒ２×Ｒｂ／（Ｒ２＋Ｒｂ））と、正端子Ｇ・Ｉと負端子Ｈ・Ｊとの間の抵抗値（Ｒａ＋Ｒｃ）との差が等しくなくても、実用上問題とならない程度に小さい値であれば、負端子Ｈ・Ｊの電圧値を容易に０に近づけることができる。したがって、３端子型外部機器が接続された場合に、クロストークの影響を抑制することができる。
【０２０１】
また、この構成では、制御器１４は、３端子型ヘッドホン（ボイスコイルの抵抗値Ｒ１・Ｒ２が１６Ωまたは３２Ω）が接続されたときには、スイッチＳＷ２を開き、スイッチＳＷ１を閉じる。
【０２０２】
これにより、３端子型ヘッドホンのボイスコイルの抵抗値Ｒ１・Ｒ２が１６Ωの場合、逆相アンプ２３と負端子Ｈ・Ｊとの間の抵抗値（ｒａ＝１５Ω）と、正端子Ｇ・Ｉと負端子Ｈ・Ｊとの間の抵抗値（Ｒ１・Ｒ２＝１６Ω）との差は１Ωとなり、ほぼ等しくなる。これにより、負端子Ｈ・Ｊに振幅の絶対値がほぼ等しく符号の異なる２つの信号を負端子Ｈ・Ｊに供給でき、負端子Ｈ・Ｊの電圧値を容易に０に近づけられる。
【０２０３】
また、接続された３端子型ヘッドホンのボイスコイルの抵抗値Ｒ１・Ｒ２が３２Ωの場合、逆相アンプ２３と負端子Ｈ・Ｊとの間の抵抗値（ｒａ＝１５Ω）と、正端子Ｇ・Ｉと負端子Ｈ・Ｊとの間の抵抗値（Ｒ１／Ｒ２＝３２Ω）との差は１７Ωとなる。
一方、逆相アンプ２３と負端子Ｈ・Ｊの間に負荷ｒａを備えない場合には、逆相アンプ２３と負端子Ｈ・Ｊとの間の抵抗値（０Ω）と、正端子Ｇ・Ｉと負端子Ｈ・Ｊとの間の抵抗値（Ｒ１・Ｒ２＝３２Ω）との差は、ヘッドホンのボイスコイルの抵抗値Ｒ１・Ｒ２＝３２Ωとなる。
したがって、接続される３端子型ヘッドホンのボイスコイルの抵抗値Ｒ１・Ｒ２が３２Ωの場合でも、逆相アンプ２３と負端子Ｈ・Ｊの間に負荷ｒａを備えない場合よりも、逆相アンプ２３と負端子Ｈ・Ｊとの間の抵抗値と、正端子Ｇ・Ｉと負端子Ｈ・Ｊとの間の抵抗値との差を小さくできる。このため、逆相アンプ２３と負端子Ｈ・Ｊの間に負荷ｒａを備えない場合よりも、クロストークを低減することができる。
【０２０４】
また、図１１の構成において、負荷ｒａ,ｒｂ,ｒｃの抵抗値Ｒａ,Ｒｂ,Ｒｃを適切に設定することにより、入力インピーダンスが１０ｋΩ〜４７ｋΩ以外の値を有する３端子型外部機器に対しても、負端子Ｈ・Ｊの電圧値を容易に０に近づけることができる。
【０２０５】
例えば、ボイスコイルの抵抗値Ｒ１・Ｒ２が１６Ωおよび３２Ωの３端子型ヘッドホンを接続する場合、負荷ｒａの抵抗値Ｒａを１６Ω、負荷ｒｂの抵抗値Ｒｂを１００Ω、負荷ｒｃの抵抗値Ｒｃを８Ωと設定する。
【０２０６】
そして、制御器１４は、接続されたヘッドホンのボイスコイルの抵抗値Ｒ１・Ｒ２が１６Ωの場合にＳＷ２を開き、ＳＷ１を閉じる。これにより、正端子Ｇ・Ｉと負端子Ｈ・Ｊの間の抵抗値はヘッドホンのボイスコイルの抵抗Ｒ１・Ｒ２＝１６Ωとなり、逆相アンプ２３と負端子Ｈ・Ｊの間の抵抗値は負荷ｒａの抵抗値Ｒａ＝１６Ωとなる。
【０２０７】
また、制御器１４は、接続されたヘッドホンのボイスコイルの抵抗値Ｒ１・Ｒ２が３２Ωの場合にＳＷ２を閉じ、ＳＷ１を開く。これにより、正端子Ｇ・Ｉと負端子Ｈ・Ｊの間の抵抗値は、ヘッドホンのボイスコイルの抵抗Ｒ１・Ｒ２と負荷ｒｂの抵抗値Ｒｂとの並列合成抵抗値（３２×１００／（３２＋１００）≒２４．２）となる。一方、逆相アンプ２３と負端子Ｈ・Ｊの間の抵抗値は、負荷ｒａおよび負荷ｒｃの抵抗値の和Ｒａ＋Ｒｃ＝２４Ωとなる。
【０２０８】
これにより、ボイスコイルの抵抗値Ｒ１・Ｒ２が１６Ωおよび３２Ωの３端子型ヘッドホンに対して、どちらのヘッドホンを接続した場合でも、負端子Ｈ・Ｊに振幅がほぼ等しく逆位相の信号を供給できる。したがって、負端子Ｈ・Ｊので電圧値を０に近づけることができる。
【０２０９】
また、本実施の形態では、制御器１４が、ヘッドホンが３端子であるのか４端子であるのかを検知するために、Ｈ−Ｊ間（あるいはＧ−Ｉ間）の抵抗測定の結果を用いるとしている。
ここで、この測定については、ＡＤ変換器１３によって測定してもよいし、本アンプ装置に備えられた専用の抵抗測定器を用いてもよい。
【０２１０】
すなわち、制御器１４は、ヘッドホンのプラグが本アンプ装置のジャックに挿入されたときに、ＡＤ変換器１３あるいは抵抗測定器を制御して、Ｈ−Ｊ間（あるいはＧ−Ｉ間）の抵抗を測定させる。そして、測定結果を取得し、０Ωであれば３端子と判断する一方、０Ωでない場合には４端子と判断することとなる。
【０２１１】
また、本実施の形態では、初期動作（図２）において、３端子型ヘッドホンが適用された場合、制御器１４が、アンプ２２・２３のゲインを１に設定するとしている。しかしながら、必ずしもゲインを１に設定する必要はない。
すなわち、図２におけるＳ５，Ｓ９において、Ｇ−Ｈ電圧値・Ｉ−Ｊ電圧値とメモリに記憶した負荷調整信号の振幅値とを比較する際、負荷調整信号の振幅値に代えて、この振幅値とゲインとの積を使用すれば、ゲインについてはどのような値に設定してもよい。
【０２１２】
また、本実施の形態では、初期動作（図２）において、可変負荷２４の抵抗値をヘッドホンのボイスコイルの抵抗Ｒ１・Ｒ２と等しくして負端子Ｈ・Ｊの電圧値を０とする際、制御器１４が、メモリに記憶している負荷調整信号の振幅値と、ＡＤ変換器１３によって測定されたＧ−Ｈ電圧値・Ｉ−Ｊ電圧値とを等しくするように、可変負荷２４の抵抗値を決定するとしている。
【０２１３】
しかしながら、負荷調整信号の振幅値をメモリに記憶する代わりに、入力セレクタ２１と制御器１４とを接続し、さらに、これらの間にＡＤ変換器を挟んで、負荷調整信号の振幅値（デジタル値）を制御器１４に伝達するようにしてもよい。
【０２１４】
この構成では、制御器１４が、入力セレクタ２１およびＡＤ変換器を介して伝達された負荷調整信号の振幅値と、ＡＤ変換器１３によって測定されたＧ−Ｈ電圧値・Ｉ−Ｊ電圧値とを等しくするように、可変負荷２４の抵抗値を決定することとなる。
また、この場合、負荷調整信号を使用せず、通常信号で抵抗値の調整を行うことも可能である。
【０２１５】
また、ＡＤ変換器１３によって負端子Ｈ・Ｊの電位を測定し、制御器１４によって、この電位を０とするように可変負荷２４の抵抗値を決めるようにしてもよい。
なお、電位差の測定には、測定したい点と基準点（０電位の点；アース）と２点が必要である。従って、この場合には、グランド（GND）端子と負端子Ｈ・Ｊとの電位差をＡＤ変換器１３によって測定し、制御器１４が、この電位差を０とするように、可変負荷２４の抵抗値を決めることとなる。
この構成では、初期動作においてアンプ２２・２３のゲインを１に設定する必要がない。
【０２１６】
また、この場合、制御器１４は、メモリに記憶した値を用いずに、ＡＤ変換器１３の測定結果だけに応じて可変負荷２４の抵抗値を決めることになる。従って、環境変化（温度変化）などによってアンプ２２・２３のゲインを目標値に設定できなくても（変化してしまっても）、負端子Ｈ・Ｊの電位を０とすることが可能である。また、この場合も、負荷調整信号を使用せず、通常信号で抵抗値の調整を行うことも可能である。
【０２１７】
また、図２に示した初期動作では、増幅回路１１・１２のそれぞれについて、独立に、可変負荷２４の値をボイスコイルの抵抗値Ｒ１・Ｒ２と等しくする処理を行うとしている。
【０２１８】
しかしながら、これに限らず、左チャネル増幅回路１１の可変負荷２４の抵抗値を抵抗値Ｒ１と等しく設定した後、右チャネル増幅回路１２の可変負荷２４を、既に設定した左チャネル増幅回路１１の可変負荷２４の抵抗値と等しくしてもよい。また、逆に、右チャネル増幅回路１２の可変負荷２４の抵抗値を先に決めて、決めた値を左チャネル増幅回路１１の可変負荷２４の抵抗値として用いてもよい。
この構成は、ヘッドホンにおける２つのボイスコイルの抵抗値Ｒ１・Ｒ２が互いにほぼ同一である場合に有効である。これにより、初期動作を簡略化できる（ステップ数を削減できる）。
【０２１９】
また、図２に示した初期動作において、Ｓ７，Ｓ１１において選択した抵抗値のいずれかを、両増幅回路１１・１２の可変負荷２４の抵抗値として用いてもよい。さらに、Ｓ７，Ｓ１１において選択した抵抗値の平均値を、両増幅回路１１・１２の可変負荷２４の抵抗値として用いてもよい。
また、可変負荷２４を、図２のＳ６、Ｓ１０において算出した抵抗値と一致する値にできない場合（算出した抵抗値を可変負荷２４が有していない場合）、可変負荷２４の抵抗値として、算出値に最も近い値を選択することが好ましい。
【０２２０】
また、本アンプ装置において使用する負荷調整信号としては、どのような信号でも利用できる（例えば、固定された振幅・周波数を有する交流信号でも、直流成分を有する信号でもよい）が、左右チャネルでの振幅が同一であることが好ましい。また、可聴範囲から外れた周波数または振幅を有することが好ましい。これは、ヘッドホンを装着したユーザーに、異音（負荷調整信号）を聞かせないためである。
【０２２１】
また、本実施の形態では、可変負荷２４として、自身の抵抗値を複数種類（ｎ種類）の値ｒ１〜ｒｎに切り替えられる可変負荷を用いるとしている。しかしながら、これに限らず、可変負荷２４として、連続的に抵抗値（負荷）を変えられる素子を利用してもよい。
【０２２２】
また、本実施の形態では、ＡＤ変換器１３によって、Ｇ−Ｈ間電圧およびＩ−Ｊ間電圧とを測定してデジタル値に変換し、制御器１４が、このデジタル値を用いて、負荷調整信号との比較を行うとしている。しかしながら、これに限らず、制御器１４は、Ｇ−Ｈ間電圧およびＩ−Ｊ間電圧と負荷調整信号とを、アナログ値のまま比較するようにしてもよい。
なお、比較にデジタル値を用いることで、制御器１４を、外部からデジタル制御することが可能となる。
【０２２３】
また、入力セレクタ２１は、制御器１４の指示により、アンプ２２・２３に出力する信号を切り替えるとしている。しかしながら、これに限らず、入力セレクタ２１に対し、本アンプ装置の備えられた音響機器から、信号切り替えの指示を出すようにしてもよい。そして、この指示に応じて、制御器１４が、負端子Ｈ・Ｊの電圧値を０とする処理を行うように設定されていてもよい。
【０２２４】
また、本実施の形態では、正相アンプ２２と逆相アンプ２３とのゲインが互いに等しいとしている。しかしながら、本アンプ装置では、ゲインの違いによるクロストークを、可変負荷２４の抵抗値を調整することによって消去できる。このため、これらのアンプ２２・２３のゲインは、ヘッドホンのユーザーが聞き苦しくない程度なら、少々違っていてもよい。
【０２２５】
また、本実施の形態では、本アンプ装置を音響機器に備えるとしているが、このような音響機器としては、ステレオ装置（立体音響再生増幅装置）であれば、テレビジョン受像機，ビデオテープ再生機（ビデオデッキ），ＣＤ（compact disc）プレーヤー（ＣＤ再生機），ＭＤ（mini disc）プレーヤー（ＭＤ再生機），ＤＶＤ（digital versatile disc）プレーヤー（ＤＶＤ再生機），コンポーネントステレオ，携帯型ステレオ装置（ＣＤラジオカセットデッキ等）など、どのような機器であってもよい。
【０２２６】
また、本実施の形態では、本アンプ装置に３端子型ヘッドホンが適用されたときに、アンプ２２・２３の負端子Ｈ・Ｊが、ヘッドホンの接地端子Ｅを介して接続されるとしている。
しかしながら、ヘッドホンの種類によっては、接地端子Ｅによって、増幅回路１１・１２の正端子Ｇ・Ｉが接続される可能性もある。
【０２２７】
そこで、このような場合に対応するために、正相アンプ２２と正端子Ｇ・Ｉとの間に、可変負荷２４を備えるようにしてもよい。そして、上記のような３端子型ヘッドホンが適用されたときに、制御器１４が、正端子Ｇ・Ｉの電圧値を０とするように、可変負荷２４の抵抗値を調整するようにしてもよい。
【０２２８】
また、負端子Ｈ・Ｊを接続する３端子型ヘッドホン、および、正端子Ｇ・Ｉを接続する３端子型ヘッドホンの双方に対応するために、正相アンプ２２と正端子Ｇ・Ｉとの間、および、逆相アンプ２３と負端子Ｈ・Ｊとの間の双方に、可変負荷２４を備えるようにしてもよい。
この構成では、制御器１４は、３端子型ヘッドホンが適用されたとき、正端子Ｇ・Ｉあるいは負端子Ｈ・Ｊのいずれが接続されたかを判断し、判断結果に基づいて、抵抗値を調整する可変負荷２４を決定することとなる。
【０２２９】
従って、本発明のアンプ装置を、接続された外部機器における左右のチャネルのそれぞれに対し、正相および逆相の信号をそれぞれ出力するアンプ装置において、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しておりさらに、外部機器によって左右チャネルの（両増幅回路の）負端子間、あるいは正端子間が接続されたときに、両増幅回路における上記接続された端子の電圧値を０とする制御部を備えている構成である、と表現することもできる。
【０２３０】
また、本発明のアンプ装置を、接続された外部機器における左右のチャネルのそれぞれに対し、正相および逆相の信号を出力するアンプ装置において、左チャネル増幅回路および右チャネル増幅回路を有しており、これらの回路のそれぞれが、正相信号を増幅する正相アンプと、逆相信号を増幅する逆相アンプと、正相信号を外部機器に出力する正端子と、逆相信号を外部機器に出力する負端子と、逆相アンプと負端子との間に配された可変負荷とを備えており、さらに、外部機器によって左右チャネルの（両増幅回路の）負端子間が接続されたときに、各増幅回路の可変負荷を、各増幅回路の正端子と負端子との間の抵抗値と等しい値に調整する制御部を備えている構成である、と表現することもできる。
【０２３１】
また、本発明のアンプ装置を、接続された外部機器における左右のチャネルのそれぞれに対し、正相および逆相の信号をそれぞれ出力するアンプ装置において、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、さらに、両増幅回路における負端子あるいは正端子の電圧値を０とする制御部を備えている構成である、と表現することもできる。
【０２３２】
また、本発明のアンプ装置を、接続された外部機器における左右のチャネルのそれぞれに対し、正相および逆相の信号をそれぞれ出力するアンプ装置において、正相信号を増幅する正相アンプと、逆相信号を増幅する逆相アンプと、正相信号を外部機器に出力する正端子と、逆相信号を外部機器に出力する負端子とを備えた、左チャネル増幅回路および右チャネル増幅回路を有しており、さらに、外部機器によって、両増幅回路の負端子あるいは正端子が、両増幅回路間で互いに接続された短絡端子となったときに、両増幅回路における短絡端子の電圧値を０とする制御部を備えている構成である、と表現することもできる。
【０２３３】
また、上記では、本アンプ装置における全ての処理（例えば、図２に示した初期動作）を、制御器１４の制御により行うとしている。しかしながら、これに限らず、これらの処理を行うためのプログラムを記録媒体に記録し、このプログラムを読み出すことのできる情報処理装置を、制御器１４に代えて用いるようにしてもよい。
【０２３４】
この構成では、情報処理装置の演算装置（ＣＰＵやＭＰＵ）が、記録媒体に記録されているプログラムを読み出して処理を実行する。従って、このプログラム自体が処理を実現するといえる。
【０２３５】
ここで、上記の情報処理装置としては、一般的なコンピューター（ワークステーションやパソコン）の他に、コンピューターに装着される、機能拡張ボードや機能拡張ユニットを用いることができる。
【０２３６】
また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリ（ＲＡＭ等）にいったん記憶され、その後再び読み出されて実行されるようなものでもよい。
【０２３７】
また、プログラムを記録させる記録媒体は、情報処理装置と容易に分離できるものでもよいし、装置に固定（装着）されるものでもよい。さらに、外部記憶機器として装置に接続するものでもよい。
【０２３８】
このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリなどを適用できる。
また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。
【０２３９】
また、本発明の目的は、一般的に使用されているあらゆる３端子型ヘッドホンにおいて、クロストークが発生しない平衡出力型ステレオヘッドホン用アンプ装置を提供することにあるともいえる。また、負荷調整信号を、負荷測定時出力と表現することもできる。
また、特開２００１−１４４５６１号公報では、従来例としてスピーカのＬ・Ｒそれぞれの−端子が接地に接続されているものを挙げる一方、主技術では、スピーカのＬ・Ｒそれぞれの−端子に異なるものが接続されている（Ｌ−：Ｒ−Ｌ，Ｒ−：Ｌ−Ｒ）ので、この公報の技術は、スピーカ内部の接続の仕方も含めたものであるといえる。
【０２４０】
また、本アンプ装置にヘッドホンの差し込まれたときの動作は、以下のようであってもよい。すなわち、まず、ステレオヘッドホンをプラグに差し込まれたら、セレクト信号により、入力セレクタ２１を負荷調整信号に切り替える。ＡＤ変換器１３でＧＨ間の電圧を測定し、アナログ−ディジタル変換される。そして、制御器１４により、前記ＡＤ変換器１３で測定された値が負荷調整信号と等しいかを調べる。前記ＡＤ変換器１３で測定された値が負荷調整信号と異なる場合は、前記制御器１４により、前記ＡＤ変換器１３で測定された値と負荷調整信号が等しくなるような負荷を可変負荷２４から負荷セレクタ２５に入力する値を決定する。その値が負荷セレクタ２５へ入力される。そして、前記同様にＡＤ変換器１３でＧＨ間の電圧を測定し、制御器１４により、前記ＡＤ変換器１３で測定された値が負荷調整信号と等しいかを調べる。そして、前記ＡＤ変換器１３で測定された値と負荷調整信号が等しい場合は、可変負荷値設定完了となり、セレクト信号により、入力セレクタ２１を通常出力に切り替える。可変負荷２４とＲ２とを等しくする場合においても同様に行われる。
【０２４１】
また、本アンプ装置の測定箇所としては、1)ＧとＨ間2)ＩとＪ間3)ＧGとＨ間、ＩとＪ間の３箇所が考えることができる。また、可変負荷の値の決定方法としては、複数の負荷から測定した値に近いものを選択するか、連続的に負荷を変えることができる素子を利用し、測定した値に近づけるという２つの方法が考えられる。これにより、左チャンネルの可変負荷はＲ１と右チャンネルの可変負荷はＲ２と等しくなる。
【０２４２】
また、通常出力の場合、左チャネルと右チャネルとの信号振幅は異なるが、負荷測定時出力では、左チャネルと右チャネルとの信号振幅を等しくするために入力するともいえる。また、なお通常出力の場合は、耳に聞こえてしまうため、負荷測定出力は、耳に聞こえない周波数または振幅にすることが好ましい。
【０２４３】
また、可変負荷２４の抵抗値を抵抗Ｒ１と等しくすると左負端子Ｈの電圧は０になるため、負荷測定時出力とＡＤ変換器１３の出力（Ｇ−Ｈ間の出力）とが等しくなる。もし、可変負荷２４の抵抗値と抵抗Ｒ１とが等しくなければ、図４（ｂ）のような波形となり、Ｇ−Ｈ間は負荷測定時出力より小さくなる。
【０２４４】
また、本発明を、以下に示す第１〜第７平衡出力型ステレオヘッドホン用アンプ装置として表現することもできる。
すなわち、第１平衡出力型ステレオヘッドホン用アンプ装置は、左側チャネル及び右側チャネルの各信号を平衡出力型にて増幅して出力する電力増幅器のジャックに挿入され、前記電力増幅器からの出力信号をヘッドホンに伝達する為のプラグを含むシステムにおいて、前記プラグ及び前記ジャックは、それぞれ左チャネル正相側、左チャネル逆相側、右チャネル正相側、右チャネル逆相側に対応する端子を有し、左チャネル逆相アンプ出力と前記ジャック側左チャネル逆相側端子間及び右チャネル逆相アンプ出力と前記ジャック側右チャネル逆相側端子間に可変負荷を設けるか、若しくは左チャネル正相アンプ出力と前記ジャック側左チャネル正相側端子間及び右チャネル正相アンプ出力と前記ジャック側右チャネル正相側端子間に可変負荷を設ける構成である。
【０２４５】
また、第２平衡出力型ステレオヘッドホン用アンプ装置は、第１平衡出力型ステレオヘッドホン用アンプ装置において、前記可変負荷として、多数の負荷から選択することが可能である構成である。
また、第３平衡出力型ステレオヘッドホン用アンプ装置は、第１平衡出力型ステレオヘッドホン用アンプ装置において、前記可変負荷として、連続的に変化する負荷を有する構成である。
また、第４平衡出力型ステレオヘッドホン用アンプ装置は、第１平衡出力型ステレオヘッドホン用アンプ装置において、ヘッドホンの負荷を測定する測定器を備えた構成である。
【０２４６】
また、第５平衡出力型ステレオヘッドホン用アンプ装置は、第１平衡出力型ステレオヘッドホン用アンプ装置において、左（右）チャンネルのヘッドホンの負荷を測定し、左右チャンネルの可変負荷を、第２あるいは第３平衡出力型ステレオヘッドホン用アンプ装置の負荷から決定する構成である。
【０２４７】
また、第６平衡出力型ステレオヘッドホン用アンプ装置は、第１において、左チャンネルと右チャンネルのヘッドホンの負荷をそれぞれ測定し、どちらかの値、もしくは平均した値を左右チャンネルの可変負荷を、第２あるいは第３平衡出力型ステレオヘッドホン用アンプ装置の負荷から決定する構成である。
また、第７平衡出力型ステレオヘッドホン用アンプ装置は、左チャンネルと右チャンネルのヘッドホンの負荷をそれぞれ測定し、それぞれ左右チャンネルの可変負荷を、第２あるいは第３平衡出力型ステレオヘッドホン用アンプ装置の負荷から決定する構成である。
【０２４８】
これら第１〜第７平衡出力型ステレオヘッドホン用アンプ装置によれば、左チャネル逆相アンプ出力と前記ジャック側左チャネル逆相側端子間及び右チャネル逆相アンプ出力と前記ジャック側右チャネル逆相側端子間とに可変負荷を設けるか、若しくは左チャネル正相アンプ出力と前記ジャック側左チャネル正相側端子間及び右チャネル正相アンプ出力と前記ジャック側右チャネル正相側端子間とに可変負荷を設けるようにしたため、一般的に使用されているあらゆる３端子型ヘッドホンにおいて、クロストークの発生しない平衡出力型ステレオヘッドホン用アンプを提供できる。また、第６平衡出力型ステレオヘッドホン用アンプ装置は、図２のＳ６、Ｓ１０の適切な可変抵抗を算出する際の算出法に関するものであり、Ｓ４、Ｓ８で測定した値から算出した抵抗値が可変負荷内で一致する抵抗値がない場合、算出値に一番近い値を可変負荷から選択することに関するものである。
【０２４９】
また、本発明は、アンプ装置（ＡＶ機器）内に出力用の回路を組み込み、ヘッドホン（抵抗値１６Ωまたは３２Ω）使用時とスピーカ等の外部機器（抵抗値１０ｋΩ〜４７ｋΩ）使用時に、ＡＶ機器本体内で回路の接続状態を切り替えを行い、専用の外部機器接続ケーブルを使用することなく、市販の外部機器接続ケーブルを使用できるようにするためのものである、とも表現できる。
あるいは、本発明は、左右チャネルのそれぞれについて、入力信号を非反転増幅して出力する正相増幅手段と、入力信号を反転増幅して出力する逆相増幅手段と、正相増幅手段の出力側に接続される第１の出力端子と、逆相増幅手段の出力側に接続される第２の出力端子とを備えた４極H.P JACK（４端子型接続端子）に、市販の３極（３端子型）外部機器接続ケーブルを使用して、スピーカ等の外部接続機器を接続しても、セパレーションを確保することができるようにするためのものである、と表現することもできる。
そして、本発明によれば、専用の外部機器接続ケーブルを使用することが不要となり、オーディオ機器の低コスト化を図ることができる。また、ユーザーにとっては、価格の安い市販の３極外部機器接続ケーブルを使用できることになり、専用品（専用の外部機器接続ケーブル）を探す必要がなくなる。
【０２５０】
また、本発明は、音響信号に対して好適に実施され、ＰＤＭ（パルス密度変調）信号やＰＷＭ（パルス幅変調）信号などのデジタル信号でスイッチング素子を駆動し、該スイッチング素子を飽和域で使用することで、高効率電力増幅を行うデジタルアンプに関するものである、と表現することもできる。
【産業上の利用可能性】
【０２５１】
本発明のアンプ装置は、ステレオ装置（立体音響再生増幅装置）であれば、テレビジョン受像機，ビデオテープ再生機（ビデオデッキ），ＣＤ（compact disc）プレーヤー（ＣＤ再生機），ＭＤ（mini disc）プレーヤー（ＭＤ再生機），ＤＶＤ（digital versatile disc）プレーヤー（ＤＶＤ再生機），コンポーネントステレオ，携帯型ステレオ装置（ＣＤラジオカセットデッキ等）など、どのような音響装置にも適用することができる。
【図面の簡単な説明】
【０２５２】
【図１】本発明の一実施形態にかかるアンプ装置の構成を示すブロック図である。
【図２】図１に示したアンプ装置における初期動作の流れを示すフローチャートである。
【図３】図３（ａ）〜（ｆ）は、図１に示したアンプ装置において、Ｇ−Ｈ電圧値，Ｉ−Ｊ電圧値の双方を負荷調整信号の電圧値と等しくした場合における、アンプ装置の各部位における信号波形の例を示すグラフである。
【図４】図４（ａ）〜（ｆ）は、図１に示したアンプ装置において、Ｉ−Ｊ電圧値を負荷調整信号の振幅値と等しくする一方、Ｇ−Ｈ電圧値を負荷調整信号の振幅値と異なる値とした場合における、アンプ装置の各部位における信号波形の例を示すグラフである。
【図５】３端子型ヘッドホンのプラグを示す説明図である。
【図６】４端子型ヘッドホンのプラグを示す説明図である。
【図７】従来のＢＴＬ増幅回路の例を示すブロック図である。
【図８】従来のＢＴＬ増幅回路における他の例を示すブロック図である。
【図９】音の周波数Ｆ（Ｈｚ）と、その最小可聴限Ｌｍｉｎ（録音レベル（ｄＢ））との関係を示すグラフである。
【図１０】本発明の一実施形態にかかるアンプ装置の変形例を示すブロック図である。
【図１１】本発明の一実施形態にかかるアンプ装置の他の変形例を示すブロック図である。
【図１２】本発明の一実施形態にかかるアンプ装置のさらに他の変形例を示すブロック図である。
【図１３】図１３（ａ）〜（ｆ）は、本発明の一実施形態にかかるアンプ装置の他の変形例において、３端子型外部機器（抵抗値１０ｋΩ〜４７ｋΩ）を接続した場合の、負端子Ｈ・Ｊにおける信号波形の例を示すグラフである。
【図１４】市販されている３端子の外部機器接続ケーブルの外観図である。
【図１５】図１４に示した３端子の外部機器接続ケーブル内部の回路構成図である。
【図１６】従来のＢＴＬ増幅回路の例を示す回路構成図である。
【図１７】図１４に示した３端子の外部機器接続ケーブルを用いて、図１６のＢＴＬ増幅回路と３端子型の外部機器とを接続した場合の回路構成図である。
【図１８】平衡出力型アンプと３端子型外部機器とを接続するための、専用の外部機器接続ケーブルの外観図である。
【図１９】図１８に示した専用の外部機器接続ケーブルの回路構成図である。
【図２０】図１８に示した専用の外部機器接続ケーブルを用いて、平衡出力型アンプと３端子型外部機器とを接続した場合の、回路構成図である。
【符号の説明】
【０２５３】
１１  左チャネル増幅回路
１２  右チャネル増幅回路
１３  ＡＤ変換器（第１検出器，第２検出器）
１４  制御器（制御部）
２１  入力セレクタ
２２  正相アンプ
２３  逆相アンプ
２４  可変負荷（第１可変負荷）
２４ａ  可変負荷（第２可変負荷）
２５,２５ａ  負荷セレクタ
Ｅ    接地端子
Ｇ    左正端子
Ｈ    左負端子
Ｉ    右正端子
Ｊ    右負端子
Ｊ    負端子
Ｒ１  外部機器のボイスコイルの抵抗値、または入力インピーダンス
Ｒ２  外部機器のボイスコイルの抵抗値、または入力インピーダンス
ｒａ  負荷（主固定負荷）
ｒｂ  負荷（第２固定負荷）
ｒｃ  負荷（第１固定負荷）
Ｒａ,Ｒｂ,Ｒｃ  負荷ｒａ,ｒｂ,ｒｃの抵抗値
ＳＷ１  スイッチ（第１スイッチ）
ＳＷ２  スイッチ（第２スイッチ）
【図１】
2004266807.tif 000004
【図２】
2004266807.tif 000005
【図３】
2004266807.tif 000006
【図４】
2004266807.tif 000007
【図５】
2004266807.tif 000008
【図６】
2004266807.tif 000009
【図７】
2004266807.tif 000010
【図８】
2004266807.tif 000011
【図９】
2004266807.tif 000012
【図１０】
2004266807.tif 000013
【図１１】
2004266807.tif 000014
【図１２】
2004266807.tif 000015
【図１３】
2004266807.tif 000016
【図１４】
2004266807.tif 000017
【図１５】
2004266807.tif 000018
【図１６】
2004266807.tif 000019
【図１７】
2004266807.tif 000020
【図１８】
2004266807.tif 000021
【図１９】
2004266807.tif 000022
【図２０】
2004266807.tif 000023